(57)【特許請求の範囲】
【請求項１】
リソグラフィ装置内におけるリソグラフィ効果に対する瞳関数ばらつきの影響を定量化する方法であって、
前記リソグラフィ装置の瞳面の離散的な二次元感度マップを決定することを備え、前記リソグラフィ効果は、前記感度マップと前記瞳面の放射ビームの離散的な二次元瞳関数ばらつきマップとの内積によって求められ、
前記感度マップは、波面収差又はアポダイゼーションが前記リソグラフィ効果にどのように寄与するのかを特徴付ける処理依存情報を含む、
方法。
【請求項２】
前記瞳面の前記感度マップの前記決定は複数の画素の決定を備え、
前記複数の画素のうちある１つの画素の決定は、
前記瞳関数ばらつきマップの非公称値を有するその画素と公称値を有する他のすべての画素とから生じる画像を決定することと、
前記決定された画像から前記リソグラフィ効果を決定することと、
前記決定されたリソグラフィ効果と前記非公称値とに基づいて前記画素を決定することと、
を備える、請求項１の方法。
【請求項３】
前記複数の画素の決定の前に、
瞳関数ばらつきのない画像は部分画像の和によって求められるところ、前記瞳関数ばらつきマップの前記公称値を有する画素から生じる複数の部分画像を決定することと、
前記複数の部分画像を、前記複数の画素の決定の際に用いることができるように記憶することと、
を備える、請求項２の方法。
【請求項４】
瞳関数ばらつきのない全体画像を決定することと、これを前記複数の画素の決定の前に記憶することと、を更に備える、請求項３の方法。
【請求項５】
前記複数の画素のうち１つの前記決定は、
その画素が寄与する第１組の前記部分画像の各々について、非公称値を有するその画素と公称値を有する他のすべての画素とから生じる非公称部分画像を決定することと、
非公称値を有するその画素と公称値を有する他のすべての画素とから生じる前記画像を、すべての非公称部分画像とその画素が寄与しない第２組の前記部分画像のすべてとの和であるものとして決定することと、
を備える、請求項３又は請求項４の方法。
【請求項６】
非公称値を有する１つの画素と公称値を有する他のすべての画素とから生じる前記画像の前記決定は、
前記記憶された全体画像から、
前記第１組の公称部分画像の各々を減算することと、
非公称値を有するその画素と公称値を有する他のすべての画素とから生じる前記非公称部分画像の各々を加算することと、
を備える、請求項４に従属する場合の請求項５の方法。
【請求項７】
前記感度マップは、瞳面のうち前記リソグラフィ装置によって形成される画像に寄与する一部分についてのみ決定される、請求項１から６のいずれかの方法。
【請求項８】
前記瞳面の第１の部分の前記感度マップが決定され、前記瞳面の前記第１の部分の前記感度マップから前記瞳面の第２の部分の前記感度マップが決定される、請求項１から７のいずれかの方法。
【請求項９】
請求項１から８のいずれかの方法を用いて決定される前記感度マップに応じてリソグラフィ処理の１つ以上のパラメータを選択する方法。
【請求項１０】
前記リソグラフィ処理の前記１つ以上のパラメータは照明モードを備える、請求項９の方法。
【請求項１１】
イルミネータ瞳面の放射の強度が半径座標のみに依存するように回転対称照明モードが選択される、請求項１０の方法。
【請求項１２】
前記リソグラフィ処理の前記１つ以上のパラメータはレチクルパターンを備える、請求項９から１１のいずれか一項の方法。
【請求項１３】
前記方法は開始条件からのメリット関数の最小化を伴う非線形最小二乗手順を用い、前記メリット関数は調整可能なパラメータのセットを有する、請求項９から１２のいずれか一項の方法。
【請求項１４】
前記リソグラフィ処理の前記１つ以上のパラメータは、選択されたリソグラフィ効果について、前記感度マップが実質的には測定される１つ以上のゼルニケ寄与のみに敏感であるように選択される、請求項９から１３のいずれか一項の方法。
【請求項１５】
１つ以上の収差を決定する方法であって、
レジスト被覆基板の少なくとも１つのターゲット領域にパターニングデバイスの画像を形成することと、
前記基板を処理することと、
前記少なくとも１つのターゲット領域に形成された前記画像を検査して、そこから前記１つ以上の収差を決定することと、
を備え、
前記パターニングデバイスの前記画像は、請求項９から１４のいずれか一項の方法を用いて選択されたリソグラフィ処理の１つ以上のパラメータを用いて形成される、方法。
【請求項１６】
基板上にパターニングデバイスの画像を形成するリソグラフィ方法であって、請求項１５の方法を用いて決定される１つ以上の収差は少なくとも部分的に補正される、リソグラフィ方法。
【請求項１７】
請求項１から１６のいずれかの方法を実行するように構成されたリソグラフィ装置。
【発明の詳細な説明】
【技術分野】
【０００１】
関連出願の相互参照
[0001]  本願は、２０１７年６月１４日に提出された欧州特許出願第ＥＰ１７１７５９０２．０号の優先権を主張するものであり、同出願は参照によりその全体が本明細書に組み込まれる。
【０００２】
[0002]  本発明は、リソグラフィ装置におけるリソグラフィ量に対する収差の影響を定量化する方法に関する。
【背景技術】
【０００３】
[0003]  リソグラフィ装置は、所望のパターンを基板に、通常は基板のターゲット領域に適用する機械である。リソグラフィ装置は、例えば、集積回路（ＩＣ）の製造に使用可能である。このような場合、代替的にマスク又はレチクルとも呼ばれるパターニングデバイスを使用して、ＩＣの個々の層上に対応する回路パターンを生成することができる。このパターンを、放射感応性材料（レジスト）の層を有する基板（例えばシリコンウェーハ）上のターゲット領域（例えば１つ又はいくつかのダイの一部を含む）に結像することができる。一般的に、１枚の基板は、順次パターンが付与される隣接したターゲット領域のネットワークを含んでいる。従来のリソグラフィ装置は、パターン全体をターゲット領域に１回で露光することによって各ターゲット領域が照射される、いわゆるステッパと、基板を所与の方向（「スキャン」方向）と平行あるいは逆平行に同期的にスキャンしながら、パターンを所与の方向（「スキャン」方向）に放射ビームでスキャンすることにより、各ターゲット領域が照射される、いわゆるスキャナとを含む。
【０００４】
[0004]  対物面の各点からの放射を像面内の一点に合焦させる完全な光学系の場合、像面に接近する放射の波面は完全に球状であろう。現実の光学系は収差を導入しており、その結果、この球状波面の歪みが生じる。このような収差は、様々なリソグラフィ効果（例えばオフセット及び焦点エラー）又はウェーハ上に形成される画像の誤差をもたらす。こうしたリソグラフィ効果は制御可能である（すなわちそれらを定量化して少なくとも部分的に補正することができる）のが望ましい。
【０００５】
[0005]  例えば、本明細書において特定されるものであれ他所で特定されるものであれ、従来技術の課題のうち１つ以上に少なくとも部分的に対処する、収差の影響を定量化及び制御する方法及び装置を提供するのが望ましい。
【発明の概要】
【０００６】
[0006]  本発明の第１の態様によれば、リソグラフィ装置内におけるリソグラフィ効果に対する瞳関数ばらつきの影響を定量化する方法が提供される。この方法は、リソグラフィ装置の瞳面の離散的な二次元感度マップを決定することを備え、リソグラフィ効果は、その感度マップと瞳面の放射ビームの離散的な二次元瞳関数ばらつきマップとの内積によって求められる。
【０００７】
[0007]  リソグラフィ装置の瞳面のマップとは、その瞳面における二次元関数、分布、又はマッピングを意味しようとするものであることが理解されるであろう。また、２つのそのようなマップの内積は、瞳面にわたって積分又は合計された２つのマップの積によって求められることが理解されるであろう。離散的な二次元マップは、画素の二次元アレイを備えることが理解されるであろう。瞳面の２つの離散的な二次元マップの場合、内積は、２つのマップの積の全画素の和によって求められる。
【０００８】
[0008]  当業者には、この文脈において、リソグラフィ装置の瞳面とは、概してリソグラフィ装置の投影システムの射出瞳を指すことが理解されるであろう。これは、投影システムの画像側（すなわちウェーハ側）の（投影システム内に位置する）物理的な絞り又は開口の画像である。この瞳面は、画像が形成されるリソグラフィ装置の像面のフーリエ変換平面である。また、当業者には、照明瞳面における放射の強度（又は等価的には電界強度）分布（瞳形状ともいう）が、ウェーハレベル（すなわち像面ＩＰ）の光円錐の角度分布を特徴付けることが理解されるであろう。瞳面はリソグラフィ装置の対物面のフーリエ変換平面でもあり、瞳面の放射の電界強度の分布は、対物面に配設されたオブジェクト（例えばマスク）のフーリエ変換に関係する。具体的には、投影システム瞳面の放射の電界強度の分布（すなわちウェーハレベルでの放射の角度分布）は、（ａ）照明瞳面の放射の電界強度の分布（すなわち、オブジェクトレベルでの放射の角度分布）と（ｂ）オブジェクト（例えばレチクル）のフーリエ変換とのたたみ込みによって求められる。
【０００９】
[0009]  瞳関数ばらつきは、瞳面内の相対位相変動及び／又は瞳面内の相対強度変動を備え得る。瞳面内の相対位相変動は、収差と称され得る。そのような実施形態の場合、瞳関数ばらつきマップは、波面収差マップ又は相対位相マップと称され得る。瞳面内の相対強度変動は、アポダイゼーションと称され得る。そのような実施形態の場合、瞳関数ばらつきマップは、アポダイゼーションマップ又は相対強度マップと称され得る。
【００１０】
[0010]  対物面の各点からの放射を像面内の点に合焦させる完全な光学系の場合、放射の波面は完全に球状であろう。現実の光学系によって導入される収差は、この球状波面の歪みを生じる。このような収差は、様々なリソグラフィ効果（例えばオフセット及び焦点エラー）又はウェーハ上に形成される画像の誤差をもたらす。同様に、現実の光学系によって導入される相対強度変動は、例えばクリティカルディメンジョンの変化など、様々なリソグラフィ効果をもたらし得る。
【００１１】
[0011]  球状波面から現実の光学系の焦点面の点に接近する光の波面の歪みを瞳面の波面収差マップとして表すことは公知である。この波面収差マップは、基底関数の完全なセットの線形結合として表現され得る。特に便利なセットがゼルニケ多項式であり、これは、単位円上に定義される直交多項式のセットを形成する。すると、波面収差マップは、ゼルニケ係数と称され得る、このような展開の係数のセットによって特徴付けることができる。
【００１２】
[0012]  ウェーハレベル（すなわち像面）の波面収差マップは、像面上の回折格子と、投影システムの瞳面に共役な平面の干渉パターンを検出するように配置されたディテクタとを備える干渉計を用いて測定され得る。
【００１３】
[0013]  いくつかのリソグラフィ効果は、波面収差マップを特徴付けるゼルニケ係数に線形的に対応する。そのようなリソグラフィ効果は、例えば、オーバーレイエラー、デフォーカス、及び何らかの結像非対称（例えば左右非対称及び上下非対称）を含む。したがって、従来技術においては、これらのリソグラフィ効果は、波面収差マップ展開の各ゼルニケ係数と感度係数との積の（ゼルニケ次数の）和として表現され得る。つまり、リソグラフィ効果は、各々が感度係数によって重み付けされたゼルニケ係数の和として表される。したがって、そのような従来技術の構成においては、感度係数のセットは、各ゼルニケ係数がどのようにリソグラフィ効果に寄与するのかを特徴付ける。
【００１４】
[0014]  このような従来技術の構成においては、そのような感度係数のセットを用いてリソグラフィ量に対する収差の影響が決定される。しかしながら、実用では、このアプローチには、有限数のゼルニケ次数しか考慮されないために、ある種の切り捨て誤差の問題がある。原則的に、そのような切り捨て誤差は、特に例えば多重極照明モードのようにイルミネータの瞳面において高度に局所化された照明モードを用いる処理にとっては重要な意味を持ち得る。これは、そのような照明モードの感度又は影響を十分に記述するためには、多数の高次ゼルニケ多項式が必要であろうためである。
【００１５】
[0015]  同様に、投影システムの瞳面全体にわたる透過のばらつきは相対強度マップとして表すことができ、これもウェーハレベル（すなわち像面）のセンサを用いて測定することができる。投影システムのそのような相対強度特性（アポダイゼーション特性とも称される）を決定するための方法及び装置は、米国特許第９２６１４０２号明細書に記載されている。同文献は参照によりその全体が本明細書に組み込まれる。
【００１６】
[0016]  第１の実施形態による方法は、リソグラフィ効果に対する収差又はアポダイゼーションの影響を、（ａ）波面収差又はアポダイゼーションが特定のリソグラフィ効果にどのように寄与するのかを特徴付ける処理依存情報を含む感度マップ及び（ｂ）投影システムによって導入される収差又はアポダイゼーションに関係する情報を含む瞳関数ばらつきマップ（例えば波面収差マップ又は相対強度マップ）という２つの部分に因数分解する新規な方法を提供するので、特に有利である。具体的には、この方法は、この因数分解を、２つの部分（感度マップ及び瞳関数ばらつきマップ）がいずれも瞳面のマップとなるように可能にする。波面収差マップ又は相対強度マップは、完全な球状波面からの離脱又は均一な透過を照明角度（すなわち瞳面における位置）の関数として記述する。感度マップは、そのような波面収差又はアポダイゼーションがリソグラフィ効果にどのように寄与するのかを記述する。
【００１７】
[0017]  感度マップは、全次数（ゼルニケ）解析計算として決定され得る。そのような構成によれば、感度マップには切り捨て誤差の問題はない。
【００１８】
[0018]  瞳面の感度マップの決定は複数の画素の決定を備え得る。複数の画素のうちある１つの画素の決定は、瞳関数ばらつきマップの非公称値を有するその画素と公称値を有する他のすべての画素とから生じる画像を決定することと、決定された画像からリソグラフィ効果を決定することと、決定されたリソグラフィ効果と非公称値とに基づいて画素を決定することと、を備える。各画素の公称値は瞳関数ばらつきがないとき（例えば収差又はアポダイゼーションがないとき）に予期されるであろう値であり得ることが理解されるであろう。また、瞳関数ばらつきマップは（収差の）相対位相マップ又は（アポダイゼーションの）相対強度マップであり得ることも理解されるであろう。相対位相マップの場合、各画素の公称値はゼロあろう。相対強度マップの場合も、公称値はゼロであろう（が、絶対強度又は減衰マップの場合は、公称値は１であってもよい）。瞳関数ばらつきマップの非公称値を有するその画素と公称値を有する他のすべての画素とから生じる画像を決定することは、収差（又はアポダイゼーション）を有するその画素と、収差（又はアポダイゼーション）を有さない他のすべての画素とから生じる画像を決定することであると考えられてもよい。
【００１９】
[0019]  決定された画像は、基板の表面上（例えばフォトレジスト）に形成されるであろう画像である。決定された画像は、空中像とも称され得る。もっとも、「空中像」と言う場合、空中又は任意の他の媒体（具体的には、例えば方法が液浸リソグラフィを用いるリソグラフィ装置に適用されている場合には、水）のいずれかに形成される画像を含み得ることが理解されるであろう。
【００２０】
[0020]  感度マップは、リソグラフィ装置の波面収差マップ（又は相対強度マップ）と同じ解像度で計算され得る。リソグラフィ装置の波面収差マップ及び相対強度マップは、例えば、１０，０００程度の画素を有する。
【００２１】
[0021]  したがって、原則的には、所与の処理及び所与のリソグラフィ効果に関する感度マップの全計算は計算集約的であろう。このことは、方法の有用性を限定し得る。しかしながら、以下で更に説明するように、方法のいくつかの実施形態は、これらの計算を有意に加速しひいては方法の有用性を高める工程を用いる。
【００２２】
[0022]  複数の画素の決定の前に、方法は、瞳関数ばらつきのない画像は部分画像の和によって求められるところ、公称値を有する瞳関数ばらつきマップの画素から生じる複数の部分画像を決定することと、複数の部分画像を、複数の画素の決定の際に用いることができるように記憶することと、を備える。
【００２３】
[0023]  概して、画像は、部分画像の和によって求められる。この和は、コヒーレント和、インコヒーレント和又はその両者の組み合わせであり得る。例えば、部分画像のサブセットがコヒーレントに合計され、その後、これらのコヒーレント和の各々がインコヒーレントに合計されてもよい。
【００２４】
[0024]  各部分画像は、特定の値の照明角度、偏光及び回折次数に関係していてもよい。
【００２５】
[0025]  複数の画素のうちある１つの画素の決定は、画像を決定することを備え、各画像は部分画像の和によって求められる。多数の画素が存在し得、各画素の決定は画像の決定を備え、画像は多数の部分画像の和から決定される。したがって、複数の部分画像を、複数の画素の決定の際に用いることができるように記憶することによって、感度マップの計算時間が有意に短縮され得る。
【００２６】
[0026]  方法は更に、瞳関数ばらつきのない全体画像を決定することと、これを複数の画素の決定の前に記憶することと、を備えていてもよい。
【００２７】
[0027]  複数の画素のうち１つの決定は、その画素が寄与する第１組の部分画像の各々について、非公称値を有するその画素と公称値を有する他のすべての画素とから生じる非公称部分画像を決定することと、非公称値を有するその画素と公称値を有する他のすべての画素とから生じる画像を、すべての非公称部分画像とその画素が寄与しない第２組の部分画像のすべてとの和であるものとして決定することと、を備えていてもよい。
【００２８】
[0028]  特に多数の画素を有する高解像度では、部分画像のすべてのうち所与の画素が寄与する部分は小さいであろう。つまり、第１組の部分画像は第２組の部分画像よりも小さい。したがって、感度マップのある１つの画素を決定するための所与の画像の計算の大部分は、感度マップの他のいくつかの画素を決定するための要素と共通の要素を含んでいる。
【００２９】
[0029]  非公称値を有する１つの画素と公称値を有する他のすべての画素とから生じる画像の決定は、記憶された全体画像から、第１組の公称部分画像の各々を減算することと、非公称値を有するその画素と公称値を有する他のすべての画素とから生じる非公称部分画像の各々を加算することと、を備え得る。
【００３０】
[0030]  感度マップは、瞳面のうちリソグラフィ装置によって形成される画像に寄与する一部分についてのみ決定される。
【００３１】
[0031]  有利なことには、これにより、感度マップのうち画像に寄与しない画素を不必要に計算することが回避される。その結果、感度マップを決定するための計算時間の更なる短縮がもたらされる。瞳面のうちリソグラフィ装置によって形成される画像に寄与する部分は、照明モード及び結像されるマスク上のパターンに基づいて決定されてもよい。
【００３２】
[0032]  瞳面の第１の部分の感度マップが決定され、その瞳面の第１の部分の感度マップから瞳面の第２の部分の感度マップが決定されてもよい。
【００３３】
[0033]  本発明の第２の態様によれば、リソグラフィ装置におけるリソグラフィ量に対する収差の影響を定量化する方法が提供され、この方法は、リソグラフィ装置の瞳面の離散的な二次元感度マップを決定することを備え、リソグラフィ効果は、その感度マップと瞳面の放射ビームの離散的な二次元波面収差マップとの内積によって求められる。
【００３４】
[0034]  リソグラフィ装置の瞳面のマップとは、その瞳面における二次元関数、分布、又はマッピングを意味しようとするものであることが理解されるであろう。また、２つのこのようなマップの内積は、瞳面にわたって積分又は合計された２つのマップの積によって求められることが理解されるであろう。離散的な二次元マップは画素の二次元アレイを備えることが理解されるであろう。瞳面の２つの離散的な二次元マップの場合、内積は、２つのマップの積の全画素の和によって求められる。
【００３５】
[0035]  当業者には、この文脈において、リソグラフィ装置の瞳面とは、概してリソグラフィ装置の投影システムの射出瞳を指すことが理解されるであろう。これは、投影システムの画像側（すなわちウェーハ側）の（投影システム内に位置する）物理的な絞り又は開口の画像である。この瞳面は、画像が形成されるリソグラフィ装置の像面のフーリエ変換平面である。また、当業者には、照明瞳面における放射の強度（又は等価的には電界強度）分布（瞳形状ともいう）が、ウェーハレベル（すなわち像面ＩＰ）の光円錐の角度分布を特徴付けることが理解されるであろう。瞳面はリソグラフィ装置の対物面のフーリエ変換平面でもあり、瞳面の放射の電界強度の分布は、対物面に配設されたオブジェクト（例えばマスク）のフーリエ変換に関係する。具体的には、投影システム瞳面の放射の電界強度の分布（すなわちウェーハレベルでの放射の角度分布）は、（ａ）照明瞳面の放射の電界強度の分布（すなわち、オブジェクトレベルでの放射の角度分布）と（ｂ）オブジェクト（例えばレチクル）のフーリエ変換とのたたみ込みによって求められる。
【００３６】
[0036]  対物面の各点からの放射を像面内の点に合焦させる完全な光学系の場合、放射の波面は完全に球状であろう。現実の光学系によって導入される収差は、この球状波面の歪みを生じる。このような収差は、様々なリソグラフィ効果（例えばオフセット及び焦点エラー）又はウェーハ上に形成される画像の誤差をもたらす。
【００３７】
[0037]  球状波面から現実の光学系の焦点面の点に接近する光の波面の歪みを瞳面の波面収差マップとして表すことは公知である。この波面収差マップは、基底関数の完全なセットの線形結合として表現され得る。特に便利なセットがゼルニケ多項式であり、これは、単位円上に定義される直交多項式のセットを形成する。すると、波面収差マップは、ゼルニケ係数と称され得る、このような展開の係数のセットによって特徴付けることができる。
【００３８】
[0038]  ウェーハレベル（すなわち像面）の波面収差マップは、像面上の回折格子と、投影システムの瞳面に共役な平面の干渉パターンを検出するように配置されたディテクタとを備える干渉計を用いて測定され得る。
【００３９】
[0039]  いくつかのリソグラフィ効果は、波面収差マップを特徴付けるゼルニケ係数に線形的に対応する。そのようなリソグラフィ効果は、例えば、オーバーレイエラー、デフォーカス、及び何らかの結像非対称（例えば左右非対称及び上下非対称）を含む。したがって、従来技術においては、これらのリソグラフィ効果は、波面収差マップ展開の各ゼルニケ係数と感度係数との積の（ゼルニケ次数の）和として表現され得る。つまり、リソグラフィ効果は、各々が感度係数によって重み付けされたゼルニケ係数の和として表される。したがって、そのような従来技術の構成においては、感度係数のセットは、各ゼルニケ係数がどのようにリソグラフィ効果に寄与するのかを特徴付ける。
【００４０】
[0040]  このような従来技術の構成においては、そのような感度係数のセットを用いてリソグラフィ量に対する収差の影響が決定される。しかしながら、実用では、このアプローチには、有限数のゼルニケ次数しか考慮されないために、ある種の切り捨て誤差の問題がある。原則的に、そのような切り捨て誤差は、特に例えば多重極照明モードのようにイルミネータの瞳面において高度に局所化された照明モードを用いる処理にとっては重要な意味を持ち得る。これは、そのような照明モードの感度又は影響を十分に記述するためには、多数の高次ゼルニケ多項式が必要であろうためである。
【００４１】
[0041]  第１の実施形態による方法は、リソグラフィ量に対する収差の影響を、（ａ）波面収差が特定のリソグラフィ効果にどのように寄与するのかを特徴付ける処理依存情報を含む感度マップ及び（ｂ）投影システムによって導入される収差に関係する情報を含む波面収差マップという２つの部分に因数分解する新規な方法を提供するので、特に有利である。具体的には、この方法は、この因数分解を、２つの部分（感度マップ及び波面）がいずれも瞳面のマップとなるように可能にする。波面収差マップは、完全な球状波面からの離脱を照明角度（すなわち瞳面における位置）の関数として記述する。感度マップは、そのような波面収差がリソグラフィ効果にどのように寄与するのかを記述する。
【００４２】
[0042]  感度マップは、全次数（ゼルニケ）解析計算として決定され得る。そのような構成によれば、感度マップには切り捨て誤差の問題はない。
【００４３】
[0043]  瞳面の感度マップの決定は複数の画素の決定を備え得る。複数の画素のうちある１つの画素の決定は、収差を有するその画素と、収差を有さない他のすべての画素とから生じる画像を決定することと、決定された画像からリソグラフィ効果を決定することと、決定されたリソグラフィ効果と収差とに基づいて画素を決定することと、を備える。
【００４４】
[0044]  決定された画像は、基板の表面上（例えばフォトレジスト）に形成されるであろう画像である。決定された画像は、空中像とも称され得る。もっとも、「空中像」と言う場合、空中又は任意の他の媒体（具体的には、例えば方法が液浸リソグラフィを用いるリソグラフィ装置に適用されている場合には、水）のいずれかに形成される画像を含み得ることが理解されるであろう。
【００４５】
[0045]  感度マップは、リソグラフィ装置の波面収差マップと同じ解像度で計算され得る。リソグラフィ装置の波面収差マップは、例えば、１０，０００程度の画素を有し得る。
【００４６】
[0046]  したがって、原則的には、所与の処理及び所与のリソグラフィ効果に関する感度マップの全計算は計算集約的であろう。このことは、方法の有用性を限定し得る。しかしながら、以下で更に説明するように、方法のいくつかの実施形態は、これらの計算を有意に加速しひいては方法の有用性を高める工程を用いる。
【００４７】
[0047]  複数の画素の決定の前に、方法は、収差のない画像は部分画像の和によって求められるところ、収差を有さない画素から生じる複数の部分画像を決定することと、複数の部分画像を、複数の画素の決定の際に用いることができるように記憶することと、を備える。
【００４８】
[0048]  概して、画像は、部分画像の和によって求められる。この和は、コヒーレント和、インコヒーレント和又はその両者の組み合わせであり得る。例えば、部分画像のサブセットがコヒーレントに合計され、その後、これらのコヒーレント和の各々がインコヒーレントに合計されてもよい。
【００４９】
[0049]  各部分画像は、特定の値の照明角度、偏光及び回折次数に関係していてもよい。
【００５０】
[0050]  複数の画素のうちある１つの画素の決定は、画像を決定することを備え、各画像は部分画像の和によって求められる。多数の画素が存在し得、各画素の決定は画像の決定を備え、画像は多数の部分画像の和から決定される。したがって、複数の部分画像を、複数の画素の決定の際に用いることができるように記憶することによって、感度マップの計算時間が有意に短縮され得る。
【００５１】
[0051]  方法は更に、収差のない全体画像を決定することと、これを複数の画素の決定の前に記憶することと、を備えていてもよい。
【００５２】
[0052]  複数の画素のうち１つの決定は、その画素が寄与する第１組の部分画像の各々について、収差を有するその画素と収差を有さない他のすべての画素とから生じる収差を含んだ部分画像を決定することと、収差を有するその画素と収差を有さない他のすべての画素とから生じる画像を、収差を含んだすべての部分画像と、その画素が寄与しない第２組の部分画像のすべてとの和であるものとして決定することと、を備えていてもよい。
【００５３】
[0053]  特に多数の画素を有する高解像度では、部分画像のすべてのうち所与の画素が寄与する部分は小さいであろう。つまり、第１組の部分画像は第２組の部分画像よりも小さい。したがって、感度マップのある１つの画素を決定するための所与の画像の計算の大部分は、感度マップの他のいくつかの画素を決定するための要素と共通の要素を含んでいる。
【００５４】
[0054]  収差を有する１つの画素と収差を有さない他のすべての画素とから生じる画像の決定は、記憶された全体画像から、第１組の収差を含まない部分画像の各々を減算することと、収差を有するその画素と収差を有さない他のすべての画素とから生じる収差を含んだ部分画像の各々を加算することと、を備えていてもよい。
【００５５】
[0055]  感度マップは、瞳面のうちリソグラフィ装置によって形成される画像に寄与する一部分についてのみ決定される。
【００５６】
[0056]  有利なことには、これにより、感度マップのうち画像に寄与しない画素を不必要に計算することが回避される。その結果、感度マップを決定するための計算時間の更なる短縮がもたらされる。瞳面のうちリソグラフィ装置によって形成される画像に寄与する部分は、照明モード及び結像されるマスク上のパターンに基づいて決定されてもよい。
【００５７】
[0057]  瞳面の第１の部分の感度マップが決定され、その瞳面の第１の部分の感度マップから瞳面の第２の部分の感度マップが決定されてもよい。
【００５８】
[0058]  本発明の第３の態様によれば、本発明の第１又は第２の態様の方法を用いて決定される感度マップに応じてリソグラフィ処理の１つ以上のパラメータを選択する方法が提供される。
【００５９】
[0059]  感度マップは、例えば照明モード及びレチクルパターンを含むリソグラフィ処理のパラメータのすべてに依存する。感度マップに応じてリソグラフィ処理の１つ以上のパラメータを選択することにより、その１つ以上のパラメータを、リソグラフィ処理が１つ以上のタイプの収差にはより敏感になり他の１つ以上のタイプの収差にはより鈍感になるように、調整又最適化することが可能である。
【００６０】
[0060]  この方法は、所望の又は目標の感度マップが達成されるようにリソグラフィ処理の１つ以上のパラメータを選択することを備えていてもよい。
【００６１】
[0061]  リソグラフィ処理の１つ以上のパラメータは、照明モードを備えていてもよい。例えば、イルミネータ瞳面の放射の強度が半径座標のみに依存するように回転対称照明モードが選択されてもよい。
【００６２】
[0062]  追加的又は代替的には、リソグラフィ処理の１つ以上のパラメータは、レチクルパターンを備えていてもよい。
【００６３】
[0063]  この方法は反復的な方法であってもよい。例えば、この方法は、リソグラフィ処理の１つ以上のパラメータの値の初期セット（例えば初期照明モード）を選択して、その値の初期セットについて感度マップを決定することを備えていてもよい。感度マップが所望の又は目標の感度マップである（あるいはその許容値の範囲内である）場合には、リソグラフィ処理の１つ以上のパラメータの現在の値のセットが選択される。そうでなければ、リソグラフィ処理の１つ以上のパラメータの値のセットは変更され、新たな値のセットについて感度マップが決定されて、所望の又は目標の感度マップと比較される。この処理は、感度マップが所望の又は目標の感度マップになる（あるいはその許容値の範囲内になる）まで繰り返されてもよく、その後、現在の値のセット（これは例えば現在の照明モードに対応し得る）が選択される。
【００６４】
[0064]  方法は非線形最小二乗手順を用いてもよく、これは、開始条件からのメリット関数の最小化を伴い、メリット関数は調整可能なパラメータのセットを有する。適当なアルゴリズムの一例は、レーベンバーグ・マーカートアルゴリズムであるが、他の実施形態は異なるアルゴリズムを使用し得ることが理解されるであろう。
【００６５】
[0065]  波面収差マップへの最も低次のゼルニケ寄与（ゼルニケ係数Ｚ２，Ｚ３及びＺ４）は、像面の位置に関係するため、測定するのが最も困難である。その結果、これらの収差は、典型的には波面センサによってではなく、レジスト露光技術によって測定される。波面収差マップへのこうした最低次のゼルニケ寄与（Ｚ２，Ｚ３及びＺ４）を測定するために、基板Ｗ（レジスト被覆ウェーハ）の複数のターゲット領域Ｃ上にマスクが結像される。
【００６６】
[0066]  リソグラフィ処理の１つ以上のパラメータ（例えば照明モード及び／又はレチクルパターン）は、選択されたリソグラフィ効果について、感度マップが実質的には測定される１つ以上のゼルニケ寄与のみに敏感であるように選択されてもよい。
【００６７】
[0067]  リソグラフィ効果は、公称像面に対するベストフォーカス面のずれ（ｘ及びｙ方向の横位置とｚ方向の軸方向位置との両方）であってもよい。測定されるゼルニケ寄与は、波面収差マップへの最も低次のゼルニケ寄与（Ｚ２，Ｚ３及びＺ４）であってもよい。
【００６８】
[0068]  本発明の第４の態様によれば、１つ以上の収差を決定する方法が提供され、この方法は、レジスト被覆基板の少なくとも１つのターゲット領域にパターニングデバイスの画像を形成することと、基板を処理することと、その少なくとも１つのターゲット領域に形成された画像を検査して、そこから１つ以上の収差を決定することと、を備えており、パターニングデバイスの画像は、本発明の第２第３による方法を用いて選択されたリソグラフィ処理の１つ以上のパラメータを用いて形成される。
【００６９】
[0069]  収差は、波面収差マップへの最も低次のゼルニケ寄与、すなわちゼルニケ係数Ｚ２，Ｚ３及びＺ４であってもよい。
【００７０】
[0070]  パターニングデバイスは１つ以上の回折格子を備えていてもよい。基板を処理することは、露光によって硬化された領域又は硬化されていない領域のいずれかを（例えばレジストを現像することによって）選択的に除去することを伴い得る。
【００７１】
[0071]  ゼルニケ係数Ｚ２及びＺ３を決定するためには、１つ以上のターゲット領域が結像されてもよく、公称像面に対するベストフォーカス面の横（すなわちｘ及びｙ方向の）位置が決定され得る。ここから、ゼルニケ寄与Ｚ２及びＺ３を決定することができる。例えば、各画像が（例えば走査電子顕微鏡又はオーバーレイメトロロジを用いて）検査されてもよく、各画像の品質が（例えばマスクの画像との比較によって）評価されてもよい。
【００７２】
[0072]  ゼルニケ係数Ｚ４を決定するためには、複数のターゲット領域が、基板が異なるｚ位置の範囲に配設された状態で結像されてもよい。公称像面に対するベストフォーカス面の軸方向（すなわちｚ方向の）位置が決定されてもよく、ここから、ゼルニケ寄与Ｚ４を決定することができる。ベストフォーカス面は、格子構造の画像のコントラストを最大化する平面として決定され得る。
【００７３】
[0073]  本発明の第５の態様によれば、基板上にパターニングデバイスの画像を形成するリソグラフィ方法が提供され、本発明の第４の態様の方法を用いて決定される１つ以上の収差は少なくとも部分的に補正される。
【００７４】
[0074]  本発明の第６の態様によれば、本発明の第１、第２又は第３の態様の方法を実行するように構成されたリソグラフィ装置が提供される。
【００７５】
[0075]  上記又は下記で述べる本発明の様々な態様及び特徴は、当業者には容易に明らかになるように、本発明の様々な他の態様及び特徴と組み合わせられてもよい。
【図面の簡単な説明】
【００７６】
[0076]  対応する参照符号が対応する部分を示す添付の概略図を参照しながら以下に本発明の実施形態について説明するが、これは単に例示としてのものに過ぎない。
【００７７】
【図１】本発明の一実施形態によるリソグラフィ装置を図示する。
【図２】図１のリソグラフィ装置の照明システム及び投影システムの図式表現であって、２つのフィールド平面及び２つの瞳面の位置を示す。
【図３Ａ】図１に示されるリソグラフィ装置の二重極照明モードの強度分布を示す。
【図３Ｂ】図１に示されるリソグラフィ装置の四重極照明モードの強度分布を示す。
【図３Ｃ】六重極照明モードの強度分布を示す。
【図４Ａ】ｙ方向に延びる複数のラインを備えるフラッシュメモリデバイスの典型的なマスクパターンを示す。
【図４Ｂ】図４Ａに示されるパターンを結像するときにウェーハが受ける放射ドーズ量をｘ方向の位置の関数として示す。
【図５Ａ】図４Ａに示されるパターンを結像するときに図３Ａの二重極照明モードの極のうち第１の極からの放射を受ける投影システム瞳面の領域を示す。
【図５Ｂ】図４Ａに示されるパターンを結像するときに図３Ａの二重極照明モードの極のうち第２の極からの放射を受ける投影システム瞳面の領域を示す。
【図５Ｃ】図３Ａの二重極照明モードで図４Ａに示されるパターンを結像するときに放射を受ける投影システム瞳面の領域を示す。
【図６】図４Ａに示されるパターンについて各回折次数が受ける放射の相対電界強度を示す。
【図７】図３Ａに示される二重極照明モードによって図４に示されるパターンを結像する処理について、クリティカルディメンジョン差Ｌ３〜Ｌ５の感度マップを示す。
【図８】図７Ａに示される感度マップの最初の１００個のゼルニケ感度係数を示す。
【図９Ａ】図７に示される感度マップの最初の１００個のゼルニケ感度係数と等価な感度マップを示す。
【図９Ｂ】図７に示される感度マップの１００番目のゼルニケ感度係数を上回るゼルニケ感度係数と等価な感度マップを示す。
【図１０】イルミネータ瞳面における放射の相対強度を、大きな通常照明モード（large conventional illumination mode）の半径座標の関数として示す。
【図１１】図１０に示される照明モードのｘ変位について瞳面の感度マップを示す。
【図１２】イルミネータ瞳面における放射の相対強度を、最適化された回転対称照明モードの半径座標の関数として示す。
【図１３】図１２に示される照明モードのｘ変位について瞳面の感度マップを示す。
【図１４Ａ】図１１に示される感度マップの最初の１００個の等価ゼルニケ感度を示す。
【図１４Ｂ】図１３に示される感度マップの最初の１００個の等価ゼルニケ感度を示す。
【図１４Ｃ】図１５に示される感度マップの最初の１００個の等価ゼルニケ感度を示す。
【図１５Ａ】ｘ変位について最適化された非回転対称照明モードを示す。
【図１５Ｂ】図１５Ａに示される最適化された非回転対称照明モードのｘ変位について瞳面の感度マップを示す。
【図１６】輪帯照明モードを示す。
【図１７】（１９３ｎｍの波長及び１．３５の開口数で）２００ｎｍのピッチを有するパターンを結像するときに図１６に示される輪帯照明モードの環状領域から放射を受ける投影システム瞳面の領域を示す。
【図１８】図１６に示される照明モードによるデフォーカスの感度マップを示す。
【図１９Ａ】図１８に示される感度マップについて計算された最初の１００個の等価ゼルニケ感度を示す。
【図１９Ｂ】図２１に示される感度マップについて計算された最初の１００個の等価ゼルニケ感度を示す。
【図２０Ａ】最適化された回転対称照明モードを示す。
【図２０Ｂ】イルミネータ瞳面における放射の相対強度を、図２０Ａに示される最適化された回転対称照明モードの半径座標の関数として示す。
【図２１】図２０Ａ及び２０Ｂに示される照明モードによるデフォーカスの感度マップを示す。
【図２２Ａ】ｙ方向に延びるラインを備える、別の例示的なマスクパターンを示す。
【図２２Ｂ】ウェーハが受ける放射ドーズ量を、図２２Ａに示されるパターンを結像するときのｘ方向の位置の関数として示す。
【図２３】ＡからＥは、図１に示されるリソグラフィ装置の５つの異なる二重極照明モードの強度分布を示す。
【図２４】ＡからＥは、図２２Ａに示されるパターンが図２３Ａから図２３Ｅに示される照明モードをそれぞれ用いて結像されるときに放射を受ける投影システム瞳面の領域を図示しており、ゼロ次回折ビームは実線で示され、±１次回折ビームは点線で示されている。
【図２５】ＡからＥは、図２２Ａに示されるパターンが図２３Ａから図２３Ｅに示される照明モードをそれぞれ用いて結像されるときの公称位置に対するｘ方向の画像のずれの感度マップを示す。
【図２６】図２５Ａから図２５Ｅに示される感度マップの非ゼロ画素の平均値の、（図２３Ａから図２３Ｅにそれぞれ示される）対応する照明モードの瞳フィルレシオの逆数に対するプロットを示す。
【図２７】ＡからＥは、図２２Ａに示されるパターンの、図２３Ａから図２３Ｅに示される照明モードをそれぞれ用いて結像されるときの、公称像面に対するベストフォーカス面のｚ方向のずれの感度マップを示す。
【図２８】図２７Ａから図２７Ｅに示される感度マップの非ゼロ画素の最大値の、（図２３Ａから図２３Ｅにそれぞれ示される）対応する照明モードの瞳フィルレシオの逆数に対するプロットを示す。
【図２９】図２３Ｃに示される二重極照明モードを用いて結像された図２２Ａに示されるパターンの印刷されたクリティカルディメンジョンのアポダイゼーション感度マップを示す。つまり、印刷されたクリティカルディメンジョンは、感度マップと相対強度マップとの内積によって求められる。
【発明を実施するための形態】
【００７８】
[0077]  本文ではＩＣの製造におけるリソグラフィ装置の使用に特に言及しているが、本明細書で説明するリソグラフィ装置には他の用途もあることを理解されたい。例えば、これは、集積光学システム、磁気ドメインメモリ用ガイダンス及び検出パターン、フラットパネルディスプレイ、液晶ディスプレイ（ＬＣＤ）、薄膜磁気ヘッドなどの製造である。こうした代替的な用途に照らして、本明細書で「ウェーハ」又は「ダイ」という用語を使用している場合、それぞれ「基板」又は「ターゲット領域」という、より一般的な用語と同義と見なしてよいことが当業者には認識される。本明細書に述べている基板は、露光前又は露光後に、例えばトラック（通常はレジストの層を基板に塗布し、露光したレジストを現像するツール）、メトロロジツール及び／又はインスペクションツールで処理することができる。適宜、本明細書の開示は、以上及びその他の基板プロセスツールに適用することができる。更に基板は、例えば多層ＩＣを生成するために、複数回処理することができ、したがって本明細書で使用する基板という用語は、既に複数の処理済み層を含む基板も指すことができる。
【００７９】
[0078]  本明細書で使用する「放射」及び「ビーム」という用語は、イオンビーム又は電子ビームなどの粒子ビームのみならず、紫外線（ＵＶ）放射（例えば、３６５ｎｍ、２４８ｎｍ、１９３ｎｍ、１５７ｎｍもしくは１２６ｎｍ）及び極端紫外線（ＥＵＶ）放射（例えば、５ｎｍ〜２０ｎｍの範囲の波長を有する）を含むあらゆるタイプの電磁放射を網羅する。
【００８０】
[0079]  本明細書で使用する「パターニングデバイス」という用語は、基板のターゲット領域にパターンを生成する等のため、放射ビームの断面にパターンを付与するために使用し得るデバイスを指すものとして広義に解釈されるものとする。ここで、放射ビームに付与されるパターンは、基板のターゲット領域における所望のパターンに正確には対応しない場合があることに留意するべきである。一般的に、放射ビームに付与されるパターンは、集積回路等のターゲット領域に生成されるデバイスの特定の機能層に相当する。
【００８１】
[0080]  パターニングデバイスは透過性又は反射性でよい。パターニングデバイスの例には、マスク、プログラマブルミラーアレイ、及びプログラマブルＬＣＤパネルがある。マスクはリソグラフィにおいて周知のものであり、これには、バイナリマスク、レベンソン型（alternating）位相シフトマスク、ハーフトーン型（attenuated）位相シフトマスクのようなマスクタイプ、更には様々なハイブリッドマスクタイプも含まれる。プログラマブルミラーアレイの一例は、小型ミラーのマトリクス構成を使用し、ミラーの各々は、入射する放射ビームを異なる方向に反射するように個別に傾けることができる。このようにして、反射ビームがパターニングされる。
【００８２】
[0081]  支持構造は、パターニングデバイスを保持する。特に、支持構造は、パターニングデバイスの方向、リソグラフィ装置の設計等の条件、例えばパターニングデバイスが真空環境で保持されているか否かに応じた方法で、パターニングデバイスを保持する。サポートは、パターニングデバイスを保持するために、機械式、真空式、静電式等のクランプ技術を使用することができる。支持構造は、例えばフレーム又はテーブルでよく、必要に応じて固定式又は可動式でよい。支持構造は、パターニングデバイスが例えば投影システムなどに対して確実に所望の位置に来るようにできる。本明細書において「レチクル」又は「マスク」という用語を使用した場合、その用語は、より一般的な用語である「パターニングデバイス」と同義と見なすことができる。
【００８３】
[0082]  本明細書において使用する「投影システム」という用語は、適宜、例えば露光放射の使用、あるいは浸漬液の使用又は真空の使用などの他の要因に対する、屈折光学システム、反射光学システム、及び反射屈折システムを含む、様々なタイプの投影システムを網羅するものとして広義に解釈されるべきである。本明細書において「投影レンズ」という用語を使用した場合、これは更に一般的な「投影システム」という用語と同義と見なすことができる。
【００８４】
[0083]  また、照明システムは、放射ビームを誘導し、整形し、又は制御する屈折、反射、及び反射屈折光学コンポーネントを含む様々なタイプの光学コンポーネントを含んでよく、そのようなコンポーネントも以下においては集合的に又は単独で「レンズ」とも呼ばれることがある。
【００８５】
[0084]  リソグラフィ装置は、２つ（デュアルステージ）又はそれ以上の基板テーブル（及び／又は２つ以上の支持構造）を有するタイプでよい。このような「マルチステージ」機械においては、追加のテーブルを並行して使用するか、１つ以上の他のテーブルを露光に使用している間に１つ以上のテーブルで予備工程を実行することができる。
【００８６】
[0085]  リソグラフィ装置は、投影システムの最終要素と基板との間の空間を充填するように、基板が比較的高い屈折率を有する液体、例えば水などに液浸されるタイプであってもよい。液浸技術は、投影システムの開口数を増加させるために当技術分野で周知である。
【００８７】
[0086]  図１は、本発明の特定の実施形態によるリソグラフィ装置を概略的に示している。この装置は、
放射ビームＰＢ（例えばＵＶ放射又はＥＵＶ放射）を調節するように構成された照明システム（イルミネータ）ＩＬと、
パターニングデバイス（例えばマスク）ＭＡを支持し、アイテムＰＬに対してパターニングデバイスを正確に位置決めするために第１の位置決めデバイスＰＭに接続された支持構造（例えばマスクテーブル）ＭＴと、
基板（例えばレジストコートウェーハ）Ｗを保持し、アイテムＰＬに対して基板を正確に位置決めするために第２の位置決めデバイスＰＷに接続された、基板テーブル（例えばウェーハテーブル）ＷＴと、
パターニングデバイスＭＡによって放射ビームＰＢに付与されたパターンを基板Ｗのターゲット領域Ｃ（例えば１つ以上のダイを含む）上に結像するように構成された、投影システム（例えば屈折投影レンズ）ＰＬとを備える。
【００８８】
[0087]  本明細書で示すように、本装置は透過タイプである（例えば透過マスクを使用する）。あるいは、装置は反射タイプでもよい（例えば上記で言及したタイプのプログラマブルミラーアレイ又は反射レチクルを使用する）。
【００８９】
[0088]  イルミネータＩＬは放射源ＳＯから放射ビームを受ける。放射源ＳＯとリソグラフィ装置とは、例えば放射源がエキシマレーザである場合に、別々の構成要素であってもよい。このような場合、放射源はリソグラフィ装置の一部を形成すると見なされず、放射ビームは、例えば適切な誘導ミラー及び／又はビームエクスパンダなどを備えるビームデリバリシステムＢＤの助けにより、放射源ＳＯからイルミネータＩＬへと渡される。他の事例では、例えば放射源が水銀ランプの場合は、放射源ＳＯがリソグラフィ装置の一体部分であってもよい。放射源ＳＯ及びイルミネータＩＬは、必要に応じてビームデリバリシステムＢＤと共に放射システムと呼ぶことができる。
【００９０】
[0089]  イルミネータＩＬは、ビームの強度分布を変更してもよい。イルミネータは、その断面に所望の均一性と強度分布を有する、調整された放射ビームＰＢを提供する。
【００９１】
[0090]  放射ビームＰＢは、支持構造ＭＴ上に保持されたパターニングデバイス（例えばマスク）ＭＡに入射する。パターニングデバイスＭＡを横断した後、ビームＰＢはレンズＰＬを通過し、レンズＰＬはビームを基板Ｗのターゲット領域Ｃに合焦させる。第２の位置決めデバイスＰＷ及び位置センサＩＦ（例えば干渉計デバイス）の助けにより、基板テーブルＷＴを、例えば様々なターゲット領域ＣをビームＰＢの経路に位置決めするように正確に移動できる。同様に、第１の位置決めデバイスＰＭと別の位置センサ（図１には明示されていない）を用いて、マスクライブラリからの機械的な取り出し後又はスキャン中などにビームＰＢの経路に対してパターニングデバイスＭＡを正確に位置決めできる。一般に、オブジェクトテーブルＭＴ及びＷＴの移動は、位置決めデバイスＰＭ及びＰＷの部分を形成するロングストロークモジュール（粗動位置決め）及びショートストロークモジュール（微動位置決め）の助けにより実現できる。パターニングデバイスＭＡ及び基板Ｗは、パターニングデバイスアライメントマークＭ１、Ｍ２及び基板アライメントマークＰ１、Ｐ２を使用して位置合わせすることができる。
【００９２】
[0091]  投影システムＰＬは、縮小係数を放射ビームＰＢに適用して、パターニングデバイスＭＡ上の対応するフィーチャよりも小さいフィーチャを有する画像を形成することができる。例えば、４の縮小係数が適用される。
【００９３】
[0092]  図示の装置は、以下の好ましいモードで使用することができる。
１．ステップモードでは、支持構造ＭＴ及び基板テーブルＷＴは、基本的に静止状態に維持される一方、ビームＰＢに付与されたパターン全体が１回でターゲット部分Ｃに投影される（すなわち単一静的露光）。次に、別のターゲット部分Ｃを露光できるように、基板テーブルＷＴがＸ方向及び／又はＹ方向に移動される。ステップモードでは、露光フィールドの最大サイズによって、単一静的露光で像が形成されるターゲット部分Ｃのサイズが制限される。
２．スキャンモードでは、支持構造ＭＴ及び基板テーブルＷＴは同期的にスキャンされる一方、ビームＰＢに付与されるパターンがターゲット部分Ｃに投影される（すなわち単一動的露光）。支持構造ＭＴに対する基板テーブルＷＴの速度及び方向は、投影システムＰＳの拡大（縮小）及び像反転特性によって求めることができる。スキャンモードでは、露光フィールドの最大サイズによって、単一動的露光におけるターゲット部分の（非スキャン方向における）幅が制限され、スキャン動作の長さによってターゲット部分の（スキャン方向における）高さが決まる。
３．別のモードでは、支持構造ＭＴはプログラマブルパターニングデバイスを保持して基本的に静止状態に維持され、基板テーブルＷＴを移動又はスキャンさせながら、ビームＰＢに与えられたパターンをターゲット部分Ｃに投影する。このモードでは、一般にパルス状放射源を使用して、基板テーブルＷＴを移動させる毎に、又はスキャン中に連続する放射パルスの間で、プログラマブルパターニングデバイスを必要に応じて更新する。この動作モードは、以上で言及したようなタイプのプログラマブルミラーアレイなどのプログラマブルパターニングデバイスを使用するマスクレスリソグラフィに容易に利用できる。
【００９４】
[0093]  上述した使用モードの組み合わせ及び／又は変形、又は全く異なる使用モードも利用できる。
【００９５】
[0094]  上記で説明したように、投影システムＰＬは、パターニングデバイスＭＡによって放射ビームに付与されたパターンを基板Ｗのターゲット領域Ｃ（例えば１つ以上のダイを含む）上に結像するように構成されている。したがって、投影システムＰＬは、基板Ｗ上にパターニングデバイスＭＡの画像を形成する。放射は、例えばリソグラフィ装置など、光パワーを有する光学素子（すなわち合焦光学素子及び／又は分岐光学素子）を備える光学系を通じて伝搬するにつれ、次に図２を参照して説明されるように、形状及び強度分布の様々な変化を経る。同図は概略的なものであることが理解されるであろう。
【００９６】
[0095]  パターニングデバイスＭＡは投影システムＰＬの対物面ＯＰに配設されているものと考えられてもよく、基板Ｗは投影システムＰＬの像面ＩＰに配設されているものと考えられてもよい。このようなリソグラフィ装置の文脈において、（パターニングデバイスＭＡが配設されている）投影システムＰＬの対物面ＯＰ、（基板Ｗが配設されている）投影システムＰＬの像面ＩＰ、及びこれらと共役な任意の平面は、リソグラフィ装置のフィールド平面と称され得る。ある光学系（例えばリソグラフィ装置）において、第１の平面Ｐ内の各点が第２の平面Ｐ’内の点に結像される場合、２つの平面は共役であることが理解されるであろう。図２には、対物面ＯＰの２つのフィールド点ＦＰ１及びＦＰ２が、これらの点の各々を通過する３本の放射と共に示されている。また、像面ＩＰの共役フィールド点ＦＰ１’及びＦＰ２’も示されている（像面ＩＰのフィールド点ＦＰ１’は対物面ＯＰのＦＰ１と共役であり、像面ＩＰのフィールド点ＦＰ２’は対物面ＯＰのＦＰ２と共役である）。図２に示される例は、オブジェクトの反転画像を形成するとともに４の縮小係数を放射ビームＰＢに適用してパターニングデバイスＭＡ上の対応するフィーチャよりも小さいフィーチャを有する画像を形成する投影システムＰＬを図示している。
【００９７】
[0096]  リソグラフィ装置は、オブジェクトの対物面ＯＰの画像を像面ＩＰに形成するために、光パワーを有する光学素子（すなわち合焦光学素子及び／又は分岐光学素子）を備えることが理解されるであろう。このような光学系内では、フィールド平面の各対の間に、先行するフィールド平面と後続のフィールド平面とのフーリエ変換平面である瞳面を定義することが可能である。そのような各瞳面内の電界の分布は、先行するフィールド平面に配設されたオブジェクトのフーリエ変換に関係している。そのような瞳面の品質はシステムの光学設計に応じて決まること、及びそのような瞳面は湾曲状でさえあり得ることが理解されるであろう。図２には、２つのそのような瞳面である、イルミネータ瞳面ＰＰＩＬ及び投影システム瞳面ＰＰＰＬが示されている。イルミネータ瞳面ＰＰＩＬ及び投影システム瞳面ＰＰＰＬ（及び任意の他の瞳面）は、互いに共役な面である。
【００９８】
[0097]  投影システム瞳面ＰＰＰＬは、リソグラフィ装置の投影システムＰＬの射出瞳と呼ぶことができる。これは、投影システムＰＬの画像側（すなわちウェーハ側）の（投影システムＰＬ内に位置する）物理的な絞り又は開口の画像である。同様に、イルミネータ瞳面ＰＰＩＬは、イルミネータＩＬの射出瞳と呼ぶことができる。
【００９９】
[0098]  なお、フィールド平面の各点は後続の全瞳面にマッピングされ、その逆も同様である。具体的には、（対物面ＯＰ又は像面ＩＰのいずれかの）各フィールド点は、ある角度範囲の放射を受ける。各角度は瞳面の異なる点に対応する。したがって、見てわかるように、フィールド平面の複数本の平行な放射が後続の（又は先行する）瞳面の単一点にマッピングされる。図２では、フィールド平面ＯＰ，ＩＰに垂直なフィールド点ＦＰ１，ＦＰ２，ＦＰ１’，ＦＰ２’を照明する放射の線（これらの線は一点鎖線で示されている）が各瞳面ＰＰＩＬ，ＰＰＰＬの中心の点Ｐ２，Ｐ２’にそれぞれマッピングされている。共役なフィールド点ＦＰ１，ＦＰ２，ＦＰ１’，ＦＰ２’の各対については、２本の他の平行な放射が（点線及び破線として）示されており、これらは各瞳面ＰＰＩＬ，ＰＰＰＬの異なる二対の共役点Ｐ１，Ｐ１’及びＰ３，Ｐ３’にそれぞれマッピングされている。
【０１００】
[0099]  なお、投影システム瞳面ＰＰＰＬの点Ｐ１’，Ｐ２’及びＰ３’の各々は、イルミネータ瞳面ＰＰＩＬの点Ｐ１，Ｐ２及びＰ３とそれぞれ共役であるが、対物面のマスクからの回折は、概して、イルミネータ瞳面ＰＰＩＬの所与の点からの放射を投影システム瞳面ＰＰＰＬの複数の点にマッピングさせる。イルミネータ瞳面ＰＰＩＬの所与の点のゼロ次回折ビームは、投影システム瞳面ＰＰＰＬの共役点上に結像されるであろう。より高次の回折ビームは、投影システム瞳面ＰＰＰＬの異なる部分上に結像されるか、又は投影システムＰＬの開口数から外れ、したがって像面ＩＰに形成される画像に寄与しないであろう。
【０１０１】
[00100]  イルミネータ瞳面ＰＰＩＬにおける放射の強度（又は等価的には電界強度）分布は、照明モード又は瞳フィルと称されてもよく、マスクレベルで（すなわち対物面ＯＰ）の光円錐の角度分布を特徴付ける。同様に、投影システム瞳面ＰＰＰＬにおける放射の強度（又は等価的には電界強度）分布は、ウェーハレベルで（すなわち像面ＩＰ）の光円錐の角度分布を特徴付ける。
【０１０２】
[00101]  上記で説明したように、イルミネータＩＬは、イルミネータ瞳面ＰＰＩＬのビームの強度分布を変化させ得る。イルミネータは、強度分布がイルミネータ瞳面ＰＰＩＬの環状領域内で非ゼロになるように放射ビームの半径範囲を限定するべく配置されてもよい。追加的又は代替的には、イルミネータＩＬはまた、強度分布がイルミネータ瞳面ＰＰＩＬの複数の等間隔のセクタ内で非ゼロになるようにイルミネータ瞳面ＰＰＩＬにおけるビームの分布を限定するべく動作可能であってもよい。イルミネータＩＬの瞳面における放射ビームの強度分布は、照明モードと称され得る。
【０１０３】
[00102]  イルミネータＩＬは、ビームの強度分布を調整する調整手段ＡＭを備えていてもよい。概して、イルミネータ瞳面ＰＰＩＬにおける強度分布の少なくとも外側及び／又は内側半径範囲（一般にそれぞれ、σ-outer及びσ-innerと呼ばれる）は、調整することができる。慣例では、イルミネータ瞳面ＰＰＩＬ又は投影システム瞳面ＰＰＰＬのある点の半径座標σは、典型的には投影システムＰＬの開口数ＮＡによって（半径σ＝１の円が、投影システムＰＬによって物理的にキャプチャされ像面ＩＰ上に結像され得る瞳面の領域に対応するように）正規化される。イルミネータＩＬは、ビームの角度分布を変更するように動作可能であってもよい。例えば、イルミネータＩＬは、イルミネータ瞳面ＰＰＩＬにおけるセクタの数及び角度範囲を変化させるように動作可能であってもよい。ここで、強度分布は非ゼロである。イルミネータＩＬのイルミネータ瞳面ＰＰＩＬのビームの強度分布を調整することによって、異なる照明モードが達成され得る。
【０１０４】
[00103]  いくつかの実施形態においては、イルミネータＩＬのイルミネータ瞳面ＰＰＩＬにおける強度分布の半径範囲及び角度範囲を限定することによって、強度分布は、例えば二重極、四重極又は六重極分布（それぞれ図３Ａから図３Ｃを参照）などの多重極分布を有し得る。
【０１０５】
[00104]  例えば、照明モードは、図３Ａに示されるような二重極分布２、図３Ｂに示されるような四重極分布４、あるいは図３Ｃに示されるような六重極分布６であってもよい。図３Ａから図３Ｃには円１１も示されており、この円は、投影システムＰＬによって物理的にキャプチャされ像面ＩＰ上に結像されることが可能な限界を表している（これは開口数ＮＡ、又は投影システムＰＬによってキャプチャ可能な最大角度の正弦を表す）。投影システムＰＬの開口数ＮＡによって正規化された座標では、円１１は半径σ＝１を有する。
【０１０６】
[00105]  二重極分布２は、強度が非ゼロである、径方向で対向する２つの極領域８を備えている。各極領域８は、概して環のセクタの形をしており、これは環と円の径方向で対向する２つのセクタとの交線によって定義される。環は、半径がσｉｎ及びσｏｕｔ（それぞれσ-inner及びσ-outerと通称される）の２つの同心円によって定義される。この例においては、各極８は、イルミネータ瞳面ＰＰＩＬの中心１０に対しておよそ３０°の角度にわたっている。各極８は、各極の平均半径方向位置がおよそ０．９になるように、０．８３のσ-inner及び０．９７のσ-outerを有する。２つの対向する極領域８を二等分する線は、概ねｘ方向である。この照明モードによれば、放射はｙ方向に直線偏光され得る。
【０１０７】
[00106]  四重極分布４は、図３Ａに示されるものと同様の第１の二重極分布と、その第１の二重極分布に対してπ／２ラジアン回転されているが他は同一である第２の二重極分布とを備えている。したがって、四重極分布４は、強度が非ゼロである４つの極領域８を備えている。各極領域の放射は、その極領域を二等分する線に概ね垂直な方向に直線偏光され得る。この偏光モードは、ＸＹ偏光と称されてもよく、基板Ｗ上に形成される画像のコントラストにおいて良好な結果を達成することができる。
【０１０８】
[00107]  六重極分布６は、円の周りに概ね均等に分布した６つの極８を備える。極８の各々は、二重極分布２及び四重極分布４のものと同様である。各極の放射は、その極を二等分する線に概ね垂直な方向に直線偏光され得る。この偏光モードはＴＥ偏光と称され得る。ＴＥ偏光の六重極照明は、例えば、孔のアレイ又はブロックのアレイの画像を形成するときに用いることができる。図３Ｃに示される、６つの極が円の周りに概ね均等に分布している六重極分布６は、六重極照明モードの一実施形態に過ぎないことが理解されるであろう。円の周りに極が不均等に分布している多重極照明モードも一般的であり、特定のパターンを印刷するにはより好都合であろう。多重極照明モードは概して、強度が非ゼロである１対以上の径方向で対向する極領域を備えている。
【０１０９】
[00108]  所望の照明モードは、その照明モードを提供する光学素子をイルミネータＩＬに挿入することによって得ることができる。
【０１１０】
[00109]  イルミネータＩＬは、ビームの偏光を変化させるように動作可能であってもよいし、調整手段ＡＭを用いて偏光を調整するように動作可能であってもよい。イルミネータＩＬのイルミネータ瞳面ＰＰＩＬ全体にわたる放射ビームの偏光状態は、偏光モードと称され得る。異なる偏光モードの使用は、基板Ｗ上に形成される画像において、より大きなコントラストを達成することを可能にし得る。放射ビームは無偏光であってもよい。代替的には、イルミネータＩＬは、放射ビームを直線偏光するように配置され得る。放射ビームの偏光方向は、イルミネータＩＬのイルミネータ瞳面ＰＰＩＬの全体にわたって変化し得る。放射の偏光方向は、イルミネータＩＬのイルミネータ瞳面ＰＰＩＬの異なる領域では異なっていてもよい。放射の偏光状態は、照明モードに応じて選択され得る。多重極照明モードの場合、放射ビームの各極の偏光は、イルミネータＩＬの瞳面におけるその極の位置ベクトルに概ね垂直であってもよい。例えば、二重極照明モードの場合には、放射は、二重極の２つの対向するセクタを二等分する線に実質的に垂直な方向に直線偏光され得る。放射ビームは、２つの異なる直交方向のうち一方に偏光されてもよく、これはＸ偏光状態及びＹ偏光状態と称され得る。四重極照明モードの場合には、各極のセクタの放射は、そのセクタを二等分する線に実質的に垂直な方向に直線偏光され得る。この偏光モードはＸＹ偏光と称され得る。同様に、六重極照明モードの場合には、各極のセクタの放射は、そのセクタを二等分する線に実質的に垂直な方向に直線偏光され得る。この偏光モードはＴＥ偏光と称され得る。
【０１１１】
[00110]  また、イルミネータＩＬは一般に、インテグレータＩＮ及びコンデンサＣＯなど、種々の他のコンポーネントを備えている。
【０１１２】
[00111]  調整された放射ビームＰＢの形状及び強度分布は、イルミネータＩＬの光学素子によって定義される。スキャンモードでは、調整された放射ビームＰＢは、パターニングデバイスＭＡ上及び基板Ｗ上に放射の帯を形成するように、（フィールド平面における）断面が概ね矩形であってもよい。その放射の帯は、露光スリット（又はスリット）とも称され得る。スリットは、より長い寸法（長さと称してもよい）とより短い寸法（幅と称してもよい）とを有し得る。スリットの幅はスキャン方向に対応していてもよく、スリットの長さは非スキャン方向に対応していてもよい。スキャンモードでは、スリットの長さが、単一動的露光の際に露光可能なターゲット領域Ｃの非スキャン方向の範囲を限定する。対照的に、単一動的露光の際に露光可能なターゲット領域Ｃのスキャン方向の範囲は、スキャン動作の長さによって決定される。
【０１１３】
[00112]  イルミネータＩＬは複数の可動フィンガを備えていてもよい。各可動フィンガは、少なくとも放射ビームの経路内に配設されていない引込位置と放射ビームを部分的に遮蔽する挿入位置との間で、独立して移動可能であってもよい。フィンガを移動させることによって、スリットの形状及び／又は強度分布は調整可能である。フィンガはフィールド平面になくてもよく、フィールドは、フィンガが放射ビームＰＢを鋭く切断しないように、フィンガの周辺部にあってもよい。引込位置と挿入位置との間でのフィンガの移動は、スリットの長さに対して垂直な方向であってもよい。フィンガは対で配置されてもよく、各対はスリットの各側に１つのフィンガを備える。フィンガの対は、スリットの長さに沿って配置されてもよい。フィンガの対は、スリットの長さに沿って放射ビームＰＢの異なるレベルの減衰を適用するために用いられてもよい。
【０１１４】
[00113]  イルミネータＩＬは２つのブレード（図示しない）を備えていてもよい。２つのブレードの各々はスリットの長さに概ね平行であってもよく、２つのブレードはスリットの対向側に配設されている。各ブレードは、放射ビームの経路内に配設されていない引込位置と放射ビームを部分的に遮蔽する挿入位置との間で、独立して移動可能であってもよい。また、ブレードは、パターニングデバイスＭＡの平面に、又は共役フィールド平面に（適切な合焦光学素子がその共役フィールド平面とパターニングデバイスＭＡとの間に配設された状態で）、配設される。ブレードを放射ビームの経路内へと移動させることによって、放射ビームＰＢのプロファイルが切り捨てられ、ひいては放射ビームＰＢのフィールドのスキャン方向の範囲が限定される。したがって、イルミネータのマスキングブレイドは、リソグラフィ装置のフィールド絞りの役割を果たす。
【０１１５】
[00114]  対物面ＯＰの各点からの放射を像面ＩＰ内の点に合焦させる完全な光学系の場合、ＩＰに接近する放射の波面は完全に球状であろう。現実の光学系（例えば投影システムＰＬ）によって導入される何らかの収差は、この球状波面の歪みを生じるであろう。そのような収差は、様々なリソグラフィ効果、例えばオフセット誤差及び変位誤差又はウェーハＷ上に形成される画像の変形をもたらす。
【０１１６】
[00115]  瞳面ＰＰＰＬにおける放射ビームの二次元波面収差マップは、従来の手法で決定されてもよい。一例として、瞳面ＰＰＰＬにおける放射の相対位相は、例えば投影システムＰＬの対物面ＯＰ（すなわちマスクＭＡの平面）の点状光源から投影システムＰＬを通して放射を投影すること及びシアリング干渉計を用いて波面（同位相の点の軌跡）を測定することによって決定され得る。シアリング干渉計は共通光路干渉計であり、したがって有利なことには、波面を測定するために二次的な基準ビームを必要としない。シアリング干渉計は、投影システムの像面ＩＰ（すなわち基板テーブルＷＴ）には回折格子、例えば二次元格子を備えるとともに、投影システムＰＬの瞳面ＰＰＰＬと共役な平面には干渉パターンを検出するように配置されたディテクタを備えていてもよい。この干渉パターンは、シアリング方向の瞳面ＰＰＰＬの座標に対する放射の位相の導関数に関係している。ディテクタは、例えば電荷結合素子（ＣＣＤ）のような検知素子のアレイを備えていてもよい。一実施形態においては、回折格子は、直交する２方向で順次スキャンされる。この２方向は、投影システムＰＬの座標系の軸（ｘ及びｙ）に一致していてもよいし、又はこれらの軸に対して例えば４５°などの角度にあってもよい。スキャンは、整数の格子周期、例えば１格子周期にわたって実施され得る。スキャンは、一方の方向の位相変動を平均化し、他方の方向の位相変動が再構築されることを可能にする。これにより、波面を両方向の関数として決定することが可能になる。技術水準のリソグラフィ装置ＬＡの投影システムＰＬは可視フリンジを生成し得ないので、波面の決定の精度は、例えば回折格子を移動させるなどの位相ステッピング技術を用いて高めることができる。ステッピングは、回折格子の平面において、測定のスキャン方向に垂直な方向で実施され得る。ステッピング範囲は１格子周期であってもよく、少なくとも３つの（均等に分布した）位相ステップが用いられてもよい。したがって、例えば、３回のスキャン測定がｙ方向で実施されてもよく、各スキャン測定はｘ方向の異なる位置について実施される。こうした回折格子のステッピングは位相変動を効果的に強度変動に変換し、位相情報が決定されることを可能にする。
【０１１７】
[0116]  球状波面から現実の光学系（例えば投影システムＰＬ）の像面の点に接近する光の波面の歪みを瞳面の波面収差マップとして表すことは公知である。この波面収差マップは、基底関数の完全なセットの線形結合として表現され得る。特に便利なセットがゼルニケ多項式であり、これは、単位円上に定義される直交多項式のセットを形成する。
【０１１８】
[00117]  したがって、波面収差Ｗ（ｘ，ｙ）マップは次のように表現され得る。
【０１１９】
【数１】
0006917477.tif 000002
【０１２０】
ただし、ｘ及びｙは瞳面内の座標であり、ｚｎ（ｘ，ｙ）はｎ次ゼルニケ多項式であり、Ｚｎは係数である。以下では、ゼルニケ多項式及び係数は、一般的にＮｏｌｌ指標と称される指標で標識されることが理解されるであろう。したがって、ｚｎ（ｘ，ｙ）はｎというＮｏｌｌ指標を有するゼルニケ多項式であり、ＺｎはｎというＮｏｌｌ指標を有する係数である。すると、波面収差マップは、このような展開の係数Ｚｎのセットによって特徴付けることができ、これはゼルニケ係数と称され得る。有限数のゼルニケ次数のみが考慮されることが理解されるであろう。
【０１２１】
[00118]  いくつかのリソグラフィ効果は、波面収差マップを特徴付けるゼルニケ係数に線形的に対応する。そのようなリソグラフィ効果は、例えば、オーバーレイエラー、デフォーカス、及び何らかの結像非対称（例えば左右非対称及び上下非対称）を含む。したがって、従来技術においては、これらのリソグラフィ効果は、波面収差マップ展開の各ゼルニケ係数と感度係数との積の（ゼルニケ次数の）和として表現され得る。
【０１２２】
【数２】
0006917477.tif 000003
【０１２３】
ただし、Ｌはリソグラフィ効果（例えばオーバーレイ）であり、Ｓｎはｎ次感度係数である。つまり、リソグラフィ効果Ｌは、各々が感度係数Ｓｎによって重み付けされたゼルニケ係数Ｚｎの和として表される。よって、このような従来技術の構成において、感度係数のセットは、各ゼルニケ係数がどのようにリソグラフィ効果Ｌに寄与するのかを特徴付ける。
【０１２４】
[00119]  したがって、このような従来技術の構成においては、感度係数Ｓｎのセットを用いてリソグラフィ量Ｌに対する収差の影響が決定される。感度Ｓｎは、特定のリソグラフィ処理について、市販のリソグラフィシミュレータを用いて計算されてもよい。しかしながら、この従来技術のアプローチには、有限数のゼルニケ次数しか考慮されないために、ある種の切り捨て誤差の問題がある。原則的に、そのような切り捨て誤差は、例えば多重極照明モード（図３Ａから図３Ｃを参照）のようにイルミネータの瞳面ＰＰＩＬにおいて高度に局所化された照明モードを用いる処理にとって、特に重要な意味を持ち得る。これは、そのような照明モードの感度を十分に記述するためには、多数の高次ゼルニケ多項式が必要であり得るためである。また、より多くのゼルニケ多項式を離散的な格子（すなわち瞳面内の画素の二次元アレイ）上で評価することは、数的に不安定になるため、困難である。
【０１２５】
[00120]  本発明の実施形態は、リソグラフィ装置におけるリソグラフィ量に対する収差の影響の定量化に関する。具体的には、これは、リソグラフィ装置の瞳面ＰＰＰＬの離散的な二次元感度マップの決定を伴うものであり、リソグラフィ効果は、その感度マップと瞳面ＰＰＰＬの放射ビームの離散的な二次元波面収差マップとの内積によって求められる。特に、感度マップは、全次数（ゼルニケ）解析計算として決定されるので、切り捨て誤差の問題はない。リソグラフィ装置の瞳面のマップとは、その瞳面における二次元関数、分布、又はマッピングを意味しようとするものであることが理解されるであろう。また、２つのそのようなマップの内積は、瞳面にわたって積分又は合計された２つのマップの積によって求められることが理解されるであろう。離散的な二次元マップは画素の二次元アレイを備えることが理解されるであろう。瞳面の２つの離散的な二次元マップの場合、内積は、２つのマップの積の全画素の和によって求められる。
【０１２６】
[00121]  つまり、離散的な二次元感度マップＳ（ｘ，ｙ）は、リソグラフィ装置の瞳面ＰＰＰＬにおいて、リソグラフィ効果がその感度マップと離散的な二次元波面収差マップＷ（ｘ，ｙ）との内積によって求められるように、決定される。
【０１２７】
【数３】
0006917477.tif 000004
【０１２８】
ただし、この和は、瞳面ＰＰＰＬの全画素にわたるものである。
【０１２９】
[00122]  本発明の実施形態による方法は、リソグラフィ量に対する収差の影響を、（ａ）波面収差が特定のリソグラフィ効果にどのように寄与するのかを特徴付ける処理依存情報を含む感度マップＳ（ｘ，ｙ）及び（ｂ）投影システムによって導入された収差に関する情報を含む波面収差マップＷ（ｘ，ｙ）という２つの部分に因数分解する新規な方法を提供するので、特に有利である。具体的には、この方法は、この因数分解を、２つの部分（感度マップＳ（ｘ，ｙ）及び波面Ｗ（ｘ，ｙ））がいずれも瞳面ＰＰＰＬにマッピングされるように可能にする。波面収差マップＷ（ｘ，ｙ）は、完全な球状波面からの離脱を照明角度（すなわち瞳面における位置）の関数として記述する。感度マップＳ（ｘ，ｙ）は、そのような波面収差がリソグラフィ効果にどのように寄与するのかを記述する。また、本発明の実施形態に従った方法による、リソグラフィ量に対する収差の影響の因数分解は、この影響を、処理依存的でありしたがって各処理について１回しか計算する必要がない部分（感度マップＳ（ｘ，ｙ））と、リソグラフィ装置に依存的な部分（波面収差マップＷ（ｘ，ｙ））とにも分ける。
【０１３０】
[00123]  更に、感度マップＳ（ｘ，ｙ）は全次数（ゼルニケ）解析計算として決定されるので、従来技術にあった切り捨て誤差の問題はない。
【０１３１】
[00124]  本発明は、二次元感度マップＳ（ｘ，ｙ）がゼルニケ多項式の線形結合として次のように展開され得るので、形式的には従来技術の方法と等価である。
【０１３２】
【数４】
0006917477.tif 000005
【０１３３】
ただし、係数は従来技術の感度係数Ｓｎである。なお、簡潔にするため、ゼルニケ多項式は、任意のゼルニケ多項式と自身との内積が１になるように正規化されると推定する。
【０１３４】
[00125]  形式的には従来技術の方法と等価であるが、本発明の実施形態は、収差に対するリソグラフィ効果の感度の代替的な記述を提供する。また、本発明の実施形態は、有限数のゼルニケ次数しか用いられないことに起因して切り捨て誤差による影響を受けない、収差に対するリソグラフィ効果の感度の記述を提供する。
【０１３５】
[00126]  所与の処理及び所与のリソグラフィ効果に関する感度マップは、次に説明するように決定可能である。概して、瞳面の感度マップの決定は、感度マップＳ（ｘ，ｙ）の複数の画素の決定を備える。
【０１３６】
[00127]  感度マップＳ（ｘ，ｙ）は、リソグラフィ装置の波面収差マップＷ（ｘ，ｙ）と同じ解像度で計算され得る。リソグラフィ装置の波面収差マップＷ（ｘ，ｙ）は、例えば、１０，０００程度の画素を有し得る。したがって、原則的には、所与の処理及び所与のリソグラフィ効果に関する感度マップＳ（ｘ，ｙ）の全計算は計算集約的であろう。このことは、この方法の有用性を限定し得る。しかしながら、以下で更に説明するように、方法のいくつかの実施形態は、これらの計算を有意に加速しひいては方法の有用性を高める工程を用いる。
【０１３７】
[00128]  いくつかの実施形態においては、像面ＩＰの画像を決定するために、イルミネータ瞳面ＰＰＩＬの同じ点に由来する光はコヒーレントに合計されなければならず、その一方でイルミネータ瞳面ＰＰＩＬの異なる点に由来する光はインコヒーレントに合計されなければならない。つまり、画像は、イルミネータ瞳面ＰＰＩＬのすべての点からの寄与のインコヒーレント和であり（強度加算）、ここで、イルミネータ瞳面ＰＰＩＬの各点からの寄与は、対物面ＯＰから像面へのコヒーレント伝搬（すなわち電界を合計すること）である。イルミネータ瞳面ＰＰＩＬの各点のコヒーレント伝搬には、フーリエ変換、すなわち、対物面ＯＰのマスクから瞳面ＰＰＰＬへのフーリエ変換、投影システムＰＬの開口数ＮＡによる切り捨て、及び瞳面ＰＰＰＬから像面ＩＰのウェーハへの逆フーリエ変換を利用する。
【０１３８】
[00129]  以下において、決定された画像又は部分画像と言う場合、基板Ｗの表面上（例えばフォトレジスト）に形成されるであろう画像を指すことが理解されるであろう。決定された画像は、空中像とも称され得る。もっとも、「空中像」と言う場合、空中又は任意の他の媒体（具体的には、例えば方法が液浸リソグラフィを用いるリソグラフィ装置に適用されている場合には、水）のいずれかに形成される画像を含み得ることが理解されるであろう。
【０１３９】
[00130]  感度マップのある１つの画素の決定は、収差を有する（すなわち非公称値）その画素と収差を有さない（すなわち公称値）他のすべての画素とから生じる画像を決定することを備える。つまり、画像は（上述のように）像面ＩＰにおいて、瞳面ＰＰＰＬの１つの画素のみが収差による影響を受けており瞳面ＰＰＰＬの他のすべての画素は完全に結像されると仮定して決定される。この画像からリソグラフィ効果が決定される。例えば、画像は、そのような瞳面ＰＰＰＬの１つの画素のみに影響を及ぼす収差があるとオーバーレイエラーはどうなるかを決定するために用いられ得る。その場合、感度マップＳ（ｘ，ｙ）の画素は、決定されたリソグラフィ効果及び収差（又は画素の非公称値）から、方程式（３）で求められる感度マップの定義を用いて決定される。なお、１つの画素しか収差を含まないので、波面収差マップＷ（ｘ，ｙ）は、その１つの画素について、非ゼロにしかならないであろう。したがって、方程式（３）の右辺は、（決定されるべき）感度マップ画素と導入された収差との積になる。よって、感度マップ画素は、決定されたリソグラフィ効果と導入された収差との比によって求めることができる。
【０１４０】
[00131]  上記で説明したように、像面ＩＰのある点における画像の強度は、その点に到達する放射の和によって求められ、この和は、コヒーレント和、インコヒーレント和又はその両者の組み合わせであり得る。したがって、画像は、複数の部分画像の和であるものと考えられてもよい。各部分画像は、特定の値の照明角度、偏光及び回折次数に関係していてもよい。部分画像のサブセット（すなわち、放射がイルミネータ瞳面ＰＰＩＬの共有の点に由来するもの）がコヒーレントに合計され、その後、これらのコヒーレント和の各々がインコヒーレントに合計されてもよい。画像は次の方程式によって求められるであろう。
【０１４１】
【数５】
0006917477.tif 000006
【０１４２】
ただし、Ｉｉはｉ番目の部分画像であり、一般にこの和はコヒーレント和とインコヒーレント和との組み合わせであることが理解されるであろう。
【０１４３】
[00132]  感度マップＳ（ｘ，ｙ）は、リソグラフィ装置の波面収差マップＷ（ｘ，ｙ）と同じ解像度で計算することができ、したがって１０，０００程度の画素を有し得る。よって、既に言及したように、所与の処理及び所与のリソグラフィ効果に関する感度マップＳ（ｘ，ｙ）の全計算は計算集約的であろう。すなわち、これらの画素の各々について画像が決定される。原則的には、各画像について、イルミネータ瞳面ＰＰＩＬの各画素から部分画像が決定される。実用では、対物面のマスクからの回折に起因して、イルミネータ瞳面ＰＰＩＬの各画素から複数の部分画像（マスクの各回折次数につき１つ）が決定される（とともにこれらはコヒーレントに合計される）。したがって、感度マップＳ（ｘ，ｙ）の各画素の計算は、有意な数の部分画像の計算を伴う。
【０１４４】
[00133]  しかしながら、発明者は、感度マップＳ（ｘ，ｙ）のある１つの画素を決定するために決定されることを要する部分画像の有意な部分が、導入された収差による影響を受けないことに気が付いた。感度マップＳ（ｘ，ｙ）のある１つの画素を決定するために決定されることを要する画像（すなわち、収差を有するその画素と収差を有さない他のすべての画素とから生じる画像）は、次のように表現することができる。
【０１４５】
【数６】
0006917477.tif 000007
【０１４６】
方程式（６）において、第１の和は導入された収差による影響を受ける第１組の部分画像の和であり、Ｉ’ｉは影響を受けた部分画像（非公称部分画像と称されてもよい）であって、収差を考慮している。第２の和は導入された収差による影響を受けない第２組の部分画像の和であり、Ｉｉは部分画像（公称部分画像と称されてもよい）である。第１組の部分画像は第２組の部分画像よりも有意に小さいであろう。第２組の部分画像の各々は、いかなる収差によっても影響を及ぼされない画像（すなわち完全な画像）に寄与する部分画像である。いくつかの実施形態においては、方法は、複数の画素の決定の前に、収差を有する画素から生じたものではない複数の部分画像（すなわち公称部分画像）を決定することを備える。収差のない画像は、これらの部分画像の和によって求められる。いくつかの実施形態においては、収差のない全体画像は、感度マップＳ（ｘ，ｙ）の複数の画素の決定の前に、決定され記憶されてもよい。
【０１４７】
[00134]  収差のない画像に寄与する部分画像は、複数の画素の決定の際に用いることが可能であるように記憶される。複数の部分画像を、複数の画素の決定の際に用いることができるように記憶することによって、感度マップＳ（ｘ，ｙ）の計算時間が有意に短縮され得る。以降の感度マップＳ（ｘ，ｙ）の画素の決定にあたっては、導入された収差によって影響される部分画像（すなわち第１組の部分画像又は非公称部分画像）のみを再計算すればよい。
【０１４８】
[00135]  したがって、感度マップＳ（ｘ，ｙ）の画素のうち１つの決定は、（その画素が寄与する）第１組の部分画像の各々について、収差を有するその画素と収差を有さない他のすべての画素とから生じる収差を含んだ（非公称）部分画像を決定することを備え得る。つまり、収差を含んだ部分画像は、光のうち（瞳面ＰＰＰＬの）収差を含んだ画素を通過する部分からのみ決定される。
【０１４９】
[00136]  その後、収差を有するその画素と収差を有さない他のすべての画素とから生じる画像（感度マップＳ（ｘ，ｙ）のその画素を決定するために用いられる）は、これらの収差を含んだ部分画像のすべてと（その画素が寄与しない）第２組の部分画像のすべてとの和であるものとして決定され得る。
【０１５０】
[00137]  特に多数の画素を有する高解像度では、部分画像のすべてのうち所与の画素が寄与する部分は小さいであろう。つまり、第１組の部分画像は、第２組の部分画像よりも有意に小さい。したがって、感度マップＳ（ｘ，ｙ）のある１つの画素を決定するための所与の画像の計算の大部分は、感度マップＳ（ｘ，ｙ）の他のいくつかの画素を決定するための画像の計算と共通の要素を含む。
【０１５１】
[00138]  収差を有するある１つの画素と収差のない他のすべての画素とから生じる画像は、記憶された全体画像Ｉ（収差なし）から、第１組の部分画像の各々について収差を含まない部分画像Ｉｉを減算すること及び第１組の部分画像の各々について収差を含んだ部分画像Ｉ’ｉを加算することによって、決定され得る。
【０１５２】
【数７】
0006917477.tif 000008
【０１５３】
[00139]  いくつかの実施形態においては、感度マップは、瞳面ＰＰＰＬのうち、リソグラフィ装置によって形成される画像に寄与する一部分についてのみ決定される。有利なことには、これにより、感度マップのうち画像に寄与しない画素を不必要に計算することが回避される。その結果、感度マップを決定するための計算時間の更なる短縮がもたらされる。瞳面のうちリソグラフィ装置によって形成される画像に寄与する部分は、照明モード及び結像されるマスク上のパターンに基づいて決定されてもよい。
【０１５４】
[00140]  対称照明モード（すなわち、イルミネータ瞳面ＰＰＩＬにおいて、電界強度がＩ（ｘ，ｙ）＝Ｉ（−ｘ，−ｙ）の条件を満たす照明モード）の場合、投影システムの（瞳面の）波面収差への奇数及び偶数の寄与（odd and even contributions）が、概してその投影システムの（像面の）異なるリソグラフィ効果に寄与することが知られている。このため、（方程式（１）の形の）波面収差マップのゼルニケ展開についての記載は有用であり得る（なぜなら、各ゼルニケ多項式ｚｎ（ｘ，ｙ）は奇数又は偶数の点別対称性（odd or even pointwise symmetry）を有するからである）。例えば、対称照明モードの場合、波面収差への奇数寄与のみがオーバーレイエラーに寄与し、その一方で波面収差への偶数寄与のみが概してデフォーカスに寄与する。
【０１５５】
[00141]  感度マップＳ（ｘ，ｙ）の定義は、リソグラフィ効果Ｌは感度マップＳ（ｘ，ｙ）と波面収差マップＷ（ｘ，ｙ）との内積によって求められ、この内積は瞳面にわたって積分又は合計された２つのマップの積の形をとる（方程式（３））、というものであることを思い出されたい。対称範囲にわたる奇関数の定積分が消える一方で、対称範囲にわたる偶関数の定積分は概して非ゼロである。したがって、感度マップＳ（ｘ，ｙ）と波面収差マップＷ（ｘ，ｙ）との積の偶成分のみがリソグラフィ効果に寄与し得る。波面収差マップＷ（ｘ，ｙ）への奇数寄与のみがオーバーレイエラーに寄与するので、オーバーレイの感度マップＳ（ｘ，ｙ）も奇数でなくてはならない（２つの奇関数の積は偶関数である）。同様に、波面収差マップＷ（ｘ，ｙ）への偶数寄与のみがデフォーカスに寄与するので、デフォーカスの感度マップＳ（ｘ，ｙ）も偶数でなくてはならない（２つの偶関数の積は偶関数である）。
【０１５６】
[00142]  したがって、奇数寄与のみ又は偶数寄与のみが波面収差に寄与することがわかっているリソグラフィ効果の場合、感度マップＳ（ｘ，ｙ）は、瞳面ＰＰＰＬの半分について決定されるだけでよい。もう半分は、感度マップＳ（ｘ，ｙ）の既知の対称性、特にＳ（ｘ，ｙ）＝±Ｓ（−ｘ，−ｙ）（感度マップが偶数であるか奇数であるかによる）から決定することができる。つまり、瞳面ＰＰＰＬの第１の部分の感度マップＳ（ｘ，ｙ）が決定され、瞳面ＰＰＰＬの第２の部分の感度マップＳ（ｘ，ｙ）は瞳面ＰＰＰＬの第１の部分の感度マップＳ（ｘ，ｙ）から決定される。
【０１５７】
[00143]  更に、マスク上のパターンは更なる対称性をもたらすことができ、これは感度マップＳ（ｘ，ｙ）が瞳面ＰＰＰＬの更に小さな第１の部分において決定されるだけでよいことを意味し得る。例えば、１方向のラインから成るパターンの場合、点別対称照明モード（point-wise symmetric illumination mode）によれば、感度マップＳ（ｘ，ｙ）は、瞳面ＰＰＰＬの四分の一について決定されるだけでよい。例えば、ｙ方向のライン（縦ラインと称してもよい）から成るパターンは、異なる回折次数がｘ方向で分離される回折パターンを発生させるであろう。そのような構成によれば、感度マップＳ（ｘ，ｙ）はｘの奇関数及びｙの偶関数になるであろう。つまり、感度マップＳ（ｘ，ｙ）は、Ｓ（ｘ，ｙ）＝−Ｓ（−ｘ，ｙ）及びＳ（ｘ，ｙ）＝Ｓ（ｘ，−ｙ）を満足するであろう。瞳面ＰＰＰＬのどちらの半分の感度マップＳ（ｘ，ｙ）が決定されたのかに応じ、これらの対称関係の１つを用いて、もう半分を決定することができる。同様に、ｘ方向のライン（横ラインと称してもよい）から成るパターンは、異なる回折次数がｙ方向で分離される回折パターンを発生させるであろう。そのような構成によれば、感度マップＳ（ｘ，ｙ）はｘの偶関数及びｙの奇関数になるであろう。つまり、感度マップＳ（ｘ，ｙ）は、Ｓ（ｘ，ｙ）＝Ｓ（−ｘ，ｙ）及びＳ（ｘ，ｙ）＝−Ｓ（ｘ，−ｙ）を満足するであろう。
【０１５８】
[00144]  次に、図４Ａから図８を参照して、特定のリソグラフィ効果及びリソグラフィ処理の感度マップの例について述べる。
【０１５９】
[00145]  リソグラフィ処理は、フラッシュメモリデバイスを形成するためにシリコンウェーハＷに付与され得る典型的なパターンのためのものである。マスクＭ上のパターン４０が図４Ａに示されており、ｙ方向に延びる複数のラインを備えている。パターン４０がマスクＭに重ねられた状態で、ウェーハＷが受ける放射ドーズ量４０（収差がないとき）が、ｘ方向の位置の関数として図４Ｂに示されている。
【０１６０】
[00146]  図４Ａは、マスクＭ上の繰り返しパターンの単位セルを示す。パターンは、７本のラインＬ１〜Ｌ７（すなわち、マスクＭの光透過部であり、交差した斜線で図示されている）と、その間の７つのスペース（すなわち、マスクＭの遮光部）とを備えている。スペースは、少なくとも部分的に光を吸収する材料から形成され得る。例えば、スペースは、スペースによって透過される放射の強度がラインＬ１〜Ｌ７によって透過される放射の強度のおよそ６％を有するような材料から形成されてもよい。図４Ａに示される単位セルは、６４０ｎｍのピッチｐを有する。ラインのうち６つＬ１〜Ｌ３，Ｌ５〜Ｌ７及びスペースのうち６つは４０ｎｍという同じ厚さｔを有しており、これは、８０ｎｍのピッチｐ１を有するより高い解像度のパターンを形成する。しかしながら、ラインのうち１つＬ４（図４Ａの中央のライン）及びスペースのうち１つ（図４Ａの左側のスペースによって形成されるスペース及び図４Ａの右側のスペースによって形成されるスペース）はこの厚さの２倍、すなわち８０ｎｍの厚さを有している。
【０１６１】
[00147]  図４Ａに示されるパターン４０は、リソグラフィ装置の対物面ＯＰに配設されたマスクＭ上に提供され、放射感応性材料（レジスト）層を有しリソグラフィ装置の像面ＩＰにある基板（例えばシリコンウェーハ）上に結像されることが理解されるであろう。レジストのうち、閾値を超える放射ドーズ量を受ける領域は変形する（これらの領域は放射によって硬化されている）。ウェーハの後続の処理の際に、放射によって硬化された領域又は硬化されていない領域のいずれかが（例えばエッチングによって）選択的に除去されてもよい。したがって、（この、基板Ｗの後続の処理の後に）基板Ｗ上に形成されるライン及びスペースの厚さは、ウェーハＷが受けるエネルギドーズ量４２及び（レジストの特性になるであろう）閾値に応じて決まることが理解されるであろう。
【０１６２】
[00148]  ラインのうち６つＬ１〜Ｌ３，Ｌ５〜Ｌ７及びスペースのうち６つは同じ厚さｔ（４０ｎｍ）を有しているが、収差がない場合であっても、ウェーハＷ上に形成されるラインの厚さは、概して変化するであろう。しかしながら、ウェーハＷが受ける放射ドーズ量４２（収差がないとき）は、中央のラインＬ４の中心について対称であることに留意されたい。したがって、収差がないときには、（基板Ｗ上に形成される）ラインＬ３及びＬ５の厚さは、同一であるべきである（同様に、ラインＬ２及びＬ６の厚さは同一であるべきであり、ラインＬ１及びＬ７の厚さは同一であるべきである）。更に、（基板Ｗ上に形成される）ラインＬ３とＬ４との間のスペースの厚さは（基板Ｗ上に形成される）ラインＬ４とＬ５との間のスペースの厚さと同一であるべきである（同様に、ラインＬ２とＬ３との間のスペースの厚さはラインＬ５とＬ６との間のスペースの厚さと同一であるべきであり、ラインＬ１とＬ２との間のスペースの厚さはラインＬ６とＬ７との間のスペースの厚さと同一であるべきである）。
【０１６３】
[00149]  しかし、投影システムＰＬの収差が、ウェーハＷ上の画像のラインの厚さにおいて予期されるこれらの対称性に影響を及ぼし得る。例えば、画像のより厚い中央のラインの両側の２つのスペース（すなわちラインＬ４の画像の両側のスペース）に非対称性を生じ得る。したがって、画像におけるこのリソグラフィ効果は画像の歪みであり、左右非対称性（又は上下非対称性）として知られる。
【０１６４】
[00150]  主に一方向のラインから構成されている、図４Ａに示されるパターン４０の場合、図３Ａに示される二重極分布２の形の二重極照明の使用によって、良好な結像及び大きなプロセスウィンドウを得ることができる。具体的には、極８は、投影システム瞳面ＰＰＰＬにおいて、照明システムの２つの極８の各々に由来する１次回折ビームのうち一方が、高解像度パターン（すなわち８０ｎｍのピッチｐ１）によって生じた他方の極からのゼロ次ビームと概ね一致するように配置され得る。つまり、照明モードのパラメータは、２つの極の角度分離２σ（σは各極の半径方向位置である）がλ／（ｐ１・ＮＡ）に略等しくなるように選択される。ただし、λは波長、ＮＡは開口数である。この例においては、イルミネータ瞳面ＰＰＩＬの各極の正規化された半径方向位置がおよそ０．９となるように、λ＝１９３ｎｍ、ｐ１＝８０ｎｍ及びＮＡ＝１．３５である。これは図３Ａに示される二重極分布２によって満足され、以下では図３Ａに示される二重極分布が用いられることを仮定するものとする。
【０１６５】
[00151]  次に、投影システム瞳面ＰＰＰＬの放射の強度分布について、この例示的処理（図４Ａに示されるパターン４０を図３Ａに示される二重極照明モード２によって結像する）の場合を、図５Ａから図５Ｃを参照して述べる。
【０１６６】
[00152]  （１９３ｎｍの波長及び１．３５の開口数で）６４０ｎｍのピッチの周期構造から成る図４Ａに示されるパターン４０を結像することを考える。マスク上のラインＬ１〜Ｌ７は、イルミネータ瞳面ＰＰＩＬの各極８からの放射が投影システム瞳面ＰＰＰＬの複数の領域にマッピングされるように、放射の回折を引き起こすであろう。図５Ａは極８のうち第１の極（図３Ａの左側の極）からの放射を受ける投影システム瞳面ＰＰＰＬの領域を示し、図５Ｂは極８のうち第２の極（図３Ａの右側の極）からの放射を受ける投影システム瞳面ＰＰＰＬの領域を示す。２つの極８の各々は、その極８のゼロ次回折ビームに対応する投影システム瞳面ＰＰＰＬの共役領域１２を照明する。また、第１の極８は複数の領域１３〜２０を照明し、これらはそれぞれ＋１次から＋８次の回折次数に対応する。第２の極８は複数の領域２１〜２８を照明し、これらはそれぞれ−１次から−８次の回折次数に対応する。なお、ここで、±１次から±８次の回折次数は図４Ａに示される（６４０ｎｍのピッチを有する）パターン４０全体に、したがってλ／ｐという回折次数間の角度分離に関係している。
【０１６７】
[00153]  投影システム瞳面ＰＰＰＬにおいては、領域１２，１３〜２０及び２１〜２８のみが放射を受けることが理解されるであろう。よって、投影システム瞳面ＰＰＰＬの中央帯領域３０（図５Ａを参照）のみが放射を受ける。したがって、この処理（図４Ａに示されるパターン４０を図３Ａに示される二重極照明モード２によって結像する）の場合、感度マップＳ（ｘ，ｙ）はこの中央帯領域３０についてのみ計算されればよい。
【０１６８】
[00154]  投影システム瞳面ＰＰＰＬの領域１２，１３〜２０及び２１〜２８にわたる放射の強度分布は周期構造の単位セルの形状に依存することが理解されるであろう。図４Ａに示されるパターン４０について各回折次数が受ける放射の相対電界強度が図６に示されている。したがって、投影システム瞳面ＰＰＰＬにおける放射ビームの電界強度は、（図６の）適切な相対電界強度によって重み付けされた領域１２，１３〜２０及び２１〜２８の各々によって与えられる。なお、パターン４０のｘ方向の対称性により（パターン４０はこのパターン４０を反転させたものと同一である）、（ゼロ次を除く）すべての偶数の回折次数はない。また、中央のラインＬ４の厚さ、図４Ａの左側のスペースによって形成されるスペース、及び図４Ａの右側のスペースによって形成されるスペースは、他のライン及びスペースと同じ厚さ（すなわち４０ｎｍの厚さ）になろうとするため、パターン全体が７つの同一のライン及びスペースになろうとする。これが起こるにつれ、各回折次数が受ける放射の相対電界強度は、±ｎ・７次の回折次数を除き、ゼロになろうとするであろう。ただし、ｎ＝０，±１，±２…である。これらは、同じ厚さの単一のスペース及びラインを備える、より高解像度のパターン（すなわち、ピッチｐ１が８０ｎｍの、より高解像度のパターン）の±ｎ次の回折次数に関係する。
【０１６９】
[00155]  図７は、図４Ａに示されるパターン４０を図３Ａに示される二重極照明モード２によって結像する処理の左右非対称の感度マップＳ（ｘ，ｙ）を示す。図７から明確にわかるように、感度マップは、中央帯３０内では非ゼロ値しか有さない。また、感度マップは、二重極照明モード２の形状及びパターン４０によって生じる回折パターンによって明らかに影響される。
【０１７０】
[00156]  従来技術の技法との比較のために、図７に示される感度マップに関して、等価ゼルニケ感度Ｓｎが計算された。ｎ次の感度Ｓｎ係数は、感度マップＳ（ｘ，ｙ）とｎ次のゼルニケ多項式ｚｎ（ｘ，ｙ）との内積を取ること（そして必要であれば、ｎ次のゼルニケ多項式のノルムの二乗で割ること、方程式（４）を参照）によって決定され得る。最初の１００個のゼルニケＳｎ係数が決定され、図８に示されている。これらの１００個のゼルニケＳｎ係数は、ゼルニケ多項式ｚｎ（ｘ，ｙ）と組み合わせて、図９Ａに示される従来技術の技法と等価な感度マップを決定するために用いることができる。図７に示される感度マップＳ（ｘ，ｙ）と、（最初の１００個のゼルニケＳｎ係数に基づく）等価な従来技術の感度マップとの差が図９Ｂに示されている。
【０１７１】
[00157]  図９Ａ及び図９Ｂからわかるように、１００個のゼルニケ次数を考慮しても、切り捨て誤差は完全な感度マップＳ（ｘ，ｙ）からのいくつかの有意な逸脱をもたらす。切り捨て誤差は、（図９Ａに示される）等価な従来技術の感度マップが投影システム瞳面ＰＰＰＬのゼロとなるべきいくつかの領域において非ゼロになることももたらすが、これには何の価値もない。
【０１７２】
[00158]  レンズ収差によって引き起こされるリソグラフィ効果は、直接測定することが可能である。例えば、ウェーハは、放射に露光され、処理され、その後（例えば走査電子顕微鏡又は類似のものを用いて測定されることによって）解析されてもよい。しかしながら、これらの効果のオンライン決定を実施する何らかの機構を有するのが有用である。従来技術の感度Ｓｎ係数及び本発明の感度マップＳ（ｘ，ｙ）をこの目的のために使用することができる。波面収差マップは、例えば（ウェーハレベルの）フィールド内の複数の点で決定することができる。ここから、何らかのリソグラフィ効果（デフォーカス、オーバーレイなど）の期待値を（従来技術の感度Ｓｎ係数又は本発明の感度マップＳ（ｘ，ｙ）を用いて）決定することが可能である。投影システムＰＬは、複数のレンズ要素を備えていてもよく、そのレンズ要素を収差（フィールド全体の瞳面ＰＰＰＬにわたる位相変動）を補正するように調整する調整手段を更に備えていてもよい。これを達成するために、調整手段は、１つ以上の異なる手法で投影システムＰＬ内のレンズ要素を操作するように動作可能であってもよい。投影システムは座標系を有していてもよく、その光軸はｚ方向に延びる。調整手段は、以下のものの任意の組み合わせを行うように動作し得る。１つ以上のレンズ要素を変位させること、１つ以上のレンズ要素を傾斜させること、及び／又は１つ以上のレンズ要素を変形させること。レンズ要素の変位は任意の方向（ｘ、ｙ、ｚ又はこれらの組み合わせ）であり得る。レンズ要素の傾斜は、典型的には軸を中心としてｘ又はｙ方向で回転させることによって光軸に垂直な平面を外れるが、非回転対称非球面レンズ要素の場合にはｚ軸を中心とした回転が用いられてもよい。レンズ要素の変形は、低周波形状（例えば非点収差）及び高周波形状（例えば自由形非球面（free form aspheres））の両方を含んでいてもよい。レンズ要素の変形は、例えば、アクチュエータを用いてレンズ要素の側面に力を加えることによって、及び／又は加熱要素を用いてレンズ要素の選択された領域を加熱することによって、行われ得る。
【０１７３】
[00159]  波面収差マップの測定は投影システムＰＬによって引き起こされるリソグラフィ効果の間接的な測定を提供することが理解されるであろう。これはその後、リソグラフィ効果を低減させるように投影システムＰＬを調整するためのフィードバックシステムの一部として用いることができる。各リソグラフィ効果はこの処理において異なる重みを割り当てられてもよい。なぜなら、例えば、所与の処理にとって、あるリソグラフィ効果を最小化することは、潜在的に別のリソグラフィ効果を増大することを犠牲にしても、より重要であり得るからである。所与のリソグラフィ効果及び所与の処理の感度マップが不正確であれば、上述のフィードバック処理の精度が限定されることが理解されるであろう。したがって、全次数計算である（したがって切り捨て誤差の問題を有さない）感度マップＳ（ｘ，ｙ）を提供することにより、基板Ｗ上に形成される画像の品質を向上させることができる。
【０１７４】
[00160]  本発明のいくつかの実施形態によれば、上述の感度マップＳ（ｘ，ｙ）は、次に説明するように、リソグラフィ処理の照明モードを決定するために用いられ得る。例えば、照明モードは、上述の方法を用いて決定された感度マップＳ（ｘ，ｙ）に応じて選択され得る。感度マップＳ（ｘ，ｙ）は、照明モードを含むリソグラフィ処理のパラメータのすべてに依存する。感度マップに応じてリソグラフィ処理の照明モードを選択することにより、照明モードを、リソグラフィ処理が１つ以上のタイプの収差にはより敏感になり他の１つ以上のタイプの収差にはより鈍感になるように、調整又は最適化することが可能である。
【０１７５】
[00161]  方法は、所望の又は目標の感度マップが達成されるようにリソグラフィ処理の照明モードを選択することを備えていてもよい。この方法は反復的な方法であってもよい。例えば、この方法は、初期照明モードを選択すること、及びその初期照明モードの（リソグラフィ効果及び特定のマスクパターンの）感度マップＳ（ｘ，ｙ）を決定することを備えていてもよい。感度マップが所望の又は目標の感度マップであるか、あるいはその許容値の範囲内である場合には、現在の照明モードが選択される。そうでなければ、照明モードは変更され、新たな照明モードの感度マップＳ（ｘ，ｙ）が決定されて、所望の又は目標の感度マップと比較される。この処理は、感度マップＳ（ｘ，ｙ）が所望の又は目標の感度マップになるか、あるいはその許容値の範囲内になるまで繰り返されてもよく、その後、現在の照明モードが選択される。
【０１７６】
[00162]  なお、照明モードを選択するこの反復的な処理は、感度マップＳ（ｘ，ｙ）の決定を加速する上述の特徴によって可能となる。
【０１７７】
[00163]  この反復的な方法は、例えば、非線形最小二乗手順を用いてもよい。例えば、この反復的な方法は、開始条件からのメリット関数の最小化を伴っていてもよく、メリット関数は調整可能なパラメータのセットを有する。適当なアルゴリズムの一例は、レーベンバーグ・マーカートアルゴリズムであるが、他の実施形態は異なるアルゴリズムを使用し得ることが理解されるであろう。
【０１７８】
[00164]  上記で説明したように、投影システムＰＬによって引き起こされる収差は、像面ＩＰに接近するにつれ、理想的な球状波面からの波面の歪みを生じる。波面収差マップＷ（ｘ，ｙ）は、これらの収差を記述するとともに、干渉計を用いてウェーハレベルで直接測定されることができる。一例として、基板テーブルＷＴ上にロードされた各ウェーハの場合、波面収差マップＷ（ｘ，ｙ）は、例えば像面ＩＰの視野の複数の異なる点で測定され得る。上記で説明したように、波面収差マップＷ（ｘ，ｙ）は、ゼルニケ係数Ｚｉの有限集合によって特徴づけられ得る（上記の方程式（１）を参照）。
【０１７９】
[00165]  波面収差マップへの最も低次のゼルニケ寄与（ゼルニケ係数Ｚ２，Ｚ３及びＺ４）は、像面ＩＰの位置に関係するため、測定するのが最も困難である。その結果、これらの収差は、典型的には波面センサによってではなく、レジスト露光技術によって測定される。
【０１８０】
[00166]  例えば、ゼルニケ係数Ｚ２及びＺ３は、瞳面ＰＰＰＬの波面のｘ方向及びｙ方向の傾きをそれぞれ記述し、これらはｘ方向及びｙ方向の像面ＩＰの位置に関係する。例えば、瞳面ＰＰＰＬにおける波面のｘ方向の傾きは、像面ＩＰに形成される画像のｘ方向のずれをもたらす。同様に、瞳面ＰＰＰＬにおける波面のｙ方向の傾きは、像面ＩＰに形成される画像のｙ方向のずれをもたらす。つまり、ゼルニケ係数Ｚ２及びＺ３によって記述される収差のリソグラフィ効果は、ｘ方向及びｙ方向のそれぞれにおける画像の位置のずれである。ゼルニケ係数Ｚ４は、瞳面ＰＰＰＬにおける波面の曲率を記述するとともに、像面のｚ位置に関係する。つまり、（ゼルニケ係数Ｚ４によって記述される）この収差のリソグラフィ効果は、（例えば公称像面に対する）像面のｚ方向のずれである。
【０１８１】
[00167]  波面収差マップへのこうした最低次のゼルニケ寄与（Ｚ２，Ｚ３及びＺ４）を測定するために、基板Ｗ（レジスト被覆ウェーハ）の複数のターゲット領域Ｃ上にマスクが結像される。ターゲット領域Ｃは、基板が異なるｚ位置及び配向の範囲に配設された状態で結像される。基板Ｗの位置及び配向は、基板テーブルＷＴを移動させることによって制御される。次に、基板Ｗはリソグラフィ装置から取り除かれ、例えば、露光によって硬化された領域又は硬化されていない領域のいずれかを（例えばレジストを現像することによって）選択的に除去することにより処理される。その後、各画像が（例えば走査電子顕微鏡又はオーバーレイメトロロジを用いて）検査されてもよく、各画像の品質が（例えばマスクの画像との比較によって）評価されてもよい。各画像の品質は、各画像から１つ以上のリソグラフィ効果を決定することによって評価され得る。例えば、リソグラフィ効果は、公称位置に対する格子マークで形成された画像のｘ又はｙ方向のずれの位置（それぞれゼルニケ係数Ｚ２及びＺ３の場合）、あるいは公称位置に対するベストフォーカス面のｚ方向の位置のずれ（ゼルニケ係数Ｚ４の場合）であってもよい。
【０１８２】
[00168]  公称像面に対するベストフォーカス面の位置（ｘ及びｙ方向の横位置とｚ方向の軸方向位置との両方）が決定されてもよく、ここから、波面収差マップへの最低次のゼルニケ寄与の値（Ｚ２，Ｚ３及びＺ４）が決定されてもよい。
【０１８３】
[00169]  高次収差の影響を限定するために、露光は、典型的には、主に決定される低次係数に敏感な照明モードを用いて実施される。例えば、ゼルニケ係数Ｚ２，Ｚ３を決定するためには、露光は大きな通常照明モードを用いて実施されるのが典型的であるが、ゼルニケ係数Ｚ４を決定するためには、露光は輪帯照明モードを用いて実施されるのが典型的である。しかしながら、ゼルニケ係数Ｚ２，Ｚ３及びＺ４を決定するためのこのレジスト露光技術にも、高次収差の問題がある。
【０１８４】
[00170]  上述したように、ゼルニケ係数Ｚ２，Ｚ３を決定する場合、高次収差の影響を限定するために、露光は大きな通常照明モードを用いて実施されるのが典型的である。例えば、強度分布は、イルミネータ瞳面ＰＰＩＬの全体にわたって均一であろう。しかしながら、このインコヒーレントな照明にもかかわらず、測定されるリソグラフィ効果（例えばアライメントマーカの質量中心の位置）は依然として、高次収差に敏感である。これは、瞳の異なる部分は、画像形成とは異なる振幅及び画像形成とは異なるコントラストを有するという事実に起因する。
【０１８５】
[00171]  第１の例として、ゼルニケ係数Ｚ２及びＺ３の決定を考える。この例の場合、マスクパターンは、１１３１．５ｎｍの厚さのラインと、その間に介在する１１３１．５ｎｍの厚さのスペースとを備える格子構造、すなわちピッチが２２６３ｎｍの格子である。ゼルニケ係数Ｚ２の決定にはｙ方向に延びるライン（縦ライン）を有する格子構造が用いられ、その一方でゼルニケ係数Ｚ３の決定にはｘ方向に延びるライン（横ライン）を有する格子構造が用いられる。単一のマーカが縦ライン及び横ラインの両方を備えるマスク上に提供されてもよく、これによってゼルニケ係数Ｚ２及びＺ３が同一露光時に決定されることが可能になるであろう。
【０１８６】
[00172]  Ｚ２収差はｙ軸を中心とした波面の傾きであり、ｘ方向の画像のずれをもたらす。同様に、Ｚ３収差はｘ軸を中心とした波面の傾きであり、ｙ方向の画像のずれをもたらす。したがって、対象のリソグラフィ効果は、画像のｘ位置及びｙ位置のそれぞれに関係する。具体的には、対象のリソグラフィ効果は、画像の公称位置（すなわち、収差がなければ画像が形成されるであろう位置）からの画像のｘ方向及びｙ方向のそれぞれにおけるずれである。照明モードは、これらのｘ方向及びｙ方向のずれが、それぞれ実質的にＺ２収差及びＺ３収差のみに敏感になるように決定するのが望ましい。
【０１８７】
[00173]  イルミネータ瞳面ＰＰＩＬにおける放射の強度が半径座標σのみに依存するように、回転対称照明モードを選択するのが望ましいであろう。そのような構成によれば、Ｚ２収差及びＺ３収差のいずれの決定にも同じ照明モードを使用することができる。代替的には、Ｚ２収差及びＺ３収差測定の各々のためにより最適化された照明モードが見つけられてもよい。
【０１８８】
[00174]  大きな通常照明モードは、イルミネータ瞳面ＰＰＩＬの全体にわたって均一な強度分布を有する。したがって、図１０に示されるように、半径座標σの関数としての放射の相対強度の分布５０は一定である。図１０に示される照明モードによる、この処理に関しての、ｘ方向のずれについての瞳面ＰＰＰＬの感度マップ５２が図１１に示されている。図１１の感度マップ５２からわかるように、この照明モードによると、このリソグラフィ効果（ｘ方向のずれ）は、２次ゼルニケ寄与（Ｚ２）のみに敏感なのではない。図１４Ａは、図１１に示される感度マップ５２に関して計算された、最初の１００個の等価ゼルニケ感度Ｓｎを示す。図１４Ａからわかるように、この通常照明モードによれば、高次のゼルニケ寄与から感度マップにいくつかの有意な寄与が存在する。
【０１８９】
[00175]  このリソグラフィ効果が（実質的に）２次ゼルニケ寄与（Ｚ２）にのみ敏感である、修正された照明モードを選択するのが望ましいであろう。方程式（２）を参照すると、感度Ｓｉが１つを除きすべてゼロである場合（すべてのｉ≠ｊについてＳｊ≠０及びＳｉ＝０）、そのリソグラフィ効果のゼルニケ係数ＺｊはＬとＳｊとの比によって求められる。感度マップＳ（ｘ，ｙ）をこのようにして適合させることにより、このＺｊ成分の測定はより正確になる（切り捨て誤差の影響なし）。
【０１９０】
[00176]  適当な照明モードを選択するために、非線形最小二乗手順（例えばレーベンバーグ・マーカートアルゴリズム）が用いられた。リソグラフィ効果としてｘ方向のずれがある場合、純粋な傾きが波面ターゲットとして用いられる。感度マップと傾けられた波面（すなわち、純粋な２次ゼルニケ多項式ｚ２（ｘ，ｙ））との間の差は、二次関数的に合計され（quadratically summed）最小化される。第１の実施形態においては回転対称照明モードが選択された。ここで、イルミネータ瞳面ＰＰＩＬにおける放射の強度分布Ｉは、次の形のラジアル多項式展開として記述される。
【０１９１】
【数８】
0006917477.tif 000009
【０１９２】
ただし、Ｉ０，Ｉ２，Ｉ４，Ｉ６及びＩ８はアルゴリズムのパラメータである。なお、この多項式展開においては、照明モードが点別に対称（point wise symmetric）になることを保証するように、偶次数のみが選択されている。開始条件としては、Ｉ０＝１及びＩｘ＝０（ｘ≠０）が用いられた。
【０１９３】
[00177]  このアルゴリズムによって決定される、半径座標σの関数としての放射の相対強度の分布５８が、図１２に示されている。図１２に示される照明モードによる、この処理に関しての、ｘ方向のずれについての瞳面ＰＰＰＬの感度マップ６０が図１３に示されている。図１３からわかるように、感度マップ６０は、図１０に示される通常照明モードの感度マップ５２よりも純粋な傾きのようである（すなわち、高次のゼルニケ寄与に鈍感である）。図１４Ｂは、図１３に示される感度マップ６０に関して計算された、最初の１００個の等価ゼルニケ感度Ｓｎを示す。図１４Ａと図１４Ｂとの比較からわかるように、この修正された回転対称照明モードによれば、高次のゼルニケ寄与から感度マップへの寄与が優位に低減される。そして、これは、低次収差Ｚ２が決定され得る精度を高める。
【０１９４】
[00178]  任意選択的には、このアルゴリズムは、照明モードに対して、例えば正の値のみを要求すること及びすべての角度にわたる積分を固定し続けることなどの追加的な制約を課すことによって、精緻化できる。
【０１９５】
[00179]  この方法の別の一実施形態は、非回転対称照明モードが決定されることを可能にし得る。そのような実施形態においては、イルミネータＩＬ内の各照光点、すなわちイルミネータ瞳面ＰＰＩＬの各画素は、最適化されるべき自由パラメータである。イルミネータ瞳面ＰＰＩＬの各画素の値は０と１との間で制約され、最適な照明モードが、やはり非線形最小二乗手順（例えばレーベンバーグ・マーカートアルゴリズム）を用いて、見出される。この実施形態は、はるかに大きな最適化スペースを与え、したがって計算にはより時間がかかる。開始条件としては、（図１２に示される）回転対称照明モードが用いられる。この処理に最適な非回転対称照明モード６１（すなわち、イルミネータ瞳面の電界強度のマップ）が図１５Ａに示されており、瞳面ＰＰＰＬのｘ位置変数の対応する感度マップ６２が図１５Ｂに示されている。図１５Ｂからわかるように、感度マップ６２は、図１２に示される照明モードの感度マップ６０よりも純粋な傾きのようである（すなわち、高次のゼルニケ寄与に鈍感である）。図１４Ｃは、図１５Ｂに示される感度マップ６２に関して計算された、最初の１００個の等価ゼルニケ感度Ｓｎを示す。図１４Ａと、図１４Ｂと、図１４Ｃとの比較からわかるように、この修正された非回転対称照明モードによれば、高次のゼルニケ寄与から感度マップへの寄与が更に低減される。そして、これは、低次収差Ｚ２が決定され得る精度を更に高める。この非回転対称照明モードの潜在的な制限は、ゼルニケ係数Ｚ２及びＺ３の２つの最適な照明モードが異なるという点であることが理解されるであろう。よって、ゼルニケ係数Ｚ２及びＺ３を決定するためには異なる照明モードが用いられなければならず、したがってこの実施形態によれば、これらのゼルニケ係数は別々に決定されなければならない。
【０１９６】
[00180]  第２の例として、ゼルニケ係数Ｚ４の決定を考える。Ｚ４収差は波面の偶数次歪みであり、これはベストフォーカス面のｚ方向のずれをもたらす。コントラストは焦点と共に変化するので、ベストフォーカスは、（複数のラインの）画像の最大コントラストとして定義される。ベストフォーカス面を決定するためには、画像スルーフォーカスが決定され、画像の最大コントラストをもたらす面がベストフォーカス面である。リソグラフィ効果は、公称の最良焦点面（すなわち収差がないときのベストフォーカス面）からのベストフォーカス面のｚ方向のずれである。
【０１９７】
[00181]  この例の場合、マスクパターンは、１００ｎｍの厚さのラインと、その間に介在する１００ｎｍの厚さのスペースとを備える格子構造、すなわちピッチが２００ｎｍの格子である。この例では、ラインはｙ方向に延びている（縦ライン）。従来は、輪帯照明モード及びＴＥ偏光が選択される。例えば、図１６に示されるように、照明モードは、σ-innerが０．７９でσ-outerが０．９４の輪帯照明であってもよい。ＴＥ偏光モードとは、放射が、瞳面ＰＰＩＬの半径方向に概ね垂直な方向で直線偏光されるようなモードである。
【０１９８】
[00182]  （１９３ｎｍの波長及び１．３５の開口数で）２００ｎｍのピッチを有するパターンを結像することを考える。パターンは、イルミネータ瞳面ＰＰＩＬの各点からの放射が投影システム瞳面ＰＰＰＬの複数の領域にマッピングされるように、放射の回折を引き起こすであろう。図１７は、図１６に示される輪帯照明モード６４の環状領域から放射を受ける投影システム瞳面ＰＰＰＬの領域を示す。投影システム瞳面ＰＰＰＬの第１の領域６６は、その環状領域のゼロ次回折ビームに対応する。また、±１次回折次数に対応する領域６８，７０及び±２次回折次数に対応する領域７２，７４も示されている。
【０１９９】
[00183]  投影システム瞳面ＰＰＰＬでは、これらの領域６６，６８，７０，７２，７４のみが放射を受けるであろうことが理解されよう。投影システムＰＬによって物理的にキャプチャされ像面ＩＰ上に結像されることが可能な限界を表す円１１（これは開口数ＮＡ又は投影システムＰＬによってキャプチャされ得る最大角度の正弦を表す）とこれらの領域６６，６８，７０，７２，７４との重なった部分のみが放射を受けることも理解されよう。したがって、この処理（図１６に示される輪帯照明モード６４によって２００ｎｍのピッチのパターンを結像する）の場合、感度マップＳ（ｘ，ｙ）はこれらの領域についてのみ計算されればよい。
【０２００】
[00184]  この例では、結像されるパターンは、縦ラインを備えているので、回折次数がｘ方向で分離される回折パターンを有している。よって、像面に形成される画像は、投影システム瞳面ＰＰＰＬのｘ方向で互いに対してずれた複数（この例では最大で５つ）の回折次数をコヒーレントに合計することによって形成される。したがって、これらの縦ラインのコントラストは、ｘ方向のみの波面の曲率に敏感である。ゼルニケ係数Ｚ４の半径依存性は２ｒ２−１である。ただし、投影システム瞳面ＰＰＰＬのある点の半径座標ｒは、投影システムＰＬの開口数ＮＡによって正規化される。瞳面上のｘ及びｙ座標に関しては、ゼルニケ係数Ｚ４の半径依存性は２（ｘ２＋ｙ２）−１である。同様に、ゼルニケ係数Ｚ５の半径依存性は（ｘ２−ｙ２）である。したがって、ｘ方向の波面の曲率は、これらのゼルニケ多項式の線形結合に比例し、０．２５・Ｚ４＋０．５・Ｚ５となり、これはｘ２（すなわちｘ方向のみの曲率）に比例する。照明モードは、これらの縦ラインの画像におけるコントラストの喪失によって決定されるデフォーカスが、実質的にゼルニケ係数Ｚ４及びＺ５のみに敏感になるように決定するのが望ましい。
【０２０１】
[00185]  図１６に示される照明モードによる、この処理に関しての、ベストフォーカス面のｚ方向のずれについての瞳面ＰＰＰＬの感度マップ７６が図１８に示されている。具体的には、この感度マップ７６は、縦ラインの画像の最大コントラストをもたらす平面によって定義されるベストフォーカス面のｚ方向のずれについてのものである。図１９Ａは、図１８に示される感度マップ７６に関して計算された、最初の１００個の等価ゼルニケ感度Ｓｎを示す。図１９Ａからわかるように、この通常照明モードによれば、高次のゼルニケ寄与から感度マップにいくつかの有意な寄与が存在する。
【０２０２】
[00186]  このリソグラフィ効果が主に４次及び５次ゼルニケ寄与（Ｚ４及びＺ５）にのみ敏感である、修正された照明モードを選択するのが望ましいであろう。なぜなら、これらは、ｘ方向の曲率に関係するゼルニケ寄与であり、縦ラインのコントラストに影響を及ぼし得るからである。感度マップＳ（ｘ，ｙ）をこのようにして適合させることにより、このＺ４成分の測定はより正確になる（切り捨て誤差の影響なし）。
【０２０３】
[00187]  一実施形態においては、回転対称照明モードが選択された。ここで、イルミネータ瞳面ＰＰＩＬにおける放射の強度分布Ｉは、方程式（８）の形のラジアル多項式展開として記述される。上述したＺ２収差及びＺ３収差の測定の例と同様に、適当な照明モードを選択するために、非線形最小二乗手順（例えばレーベンバーグ・マーカートアルゴリズム）が、トップハット分布を開始条件（すなわちＩ０＝１及びＩｘ＝０（ｘ≠０））として用いられた。
【０２０４】
[00188]  多重回折次数間の干渉の結果である、像面における画像形成のコヒーレント部分について考える。対物面のマスクからの回折に起因して、イルミネータ瞳面ＰＰＩＬの各点は、投影システム瞳面ＰＰＰＬの複数の点上に結像される（マスクの各回折次数につき１つ）。例えば、図１７に図示されるように、イルミネータ瞳面ＰＰＩＬの各点は、５つの異なる点、すなわち領域６６，６８，７０，７２，７４の各々に１つの点上に結像される（が、これらの５つの異なる点のすべてが投影システムＰＬによってキャプチャされ像面ＩＰ上に結像されるのではない）。イルミネータ瞳面ＰＰＩＬの同じ点に由来する寄与のすべてをコヒーレントに合計して画像が形成される。したがって、パターンは縦（すなわちｙ方向に延びる）ラインを備えているので、投影システム瞳面ＰＰＰＬの各画素は、ｘ方向にずれた他の画素と干渉するであろう。例えば、座標（ｘ，ｙ）の画素は、点（ｘ’，ｙ）と干渉するであろう。ただし、ｘ’＝ｘ＋ｋλ／ｐであり、λは放射の波長、ｐはパターンのピッチ、ｋは整数（すなわちｋ＝０，±１，±２，…）である。焦点の波面記述は、
【数９】
0006917477.tif 000010
によって求められる。ただし、Δｒは異なる回折次数間の座標差である。つまり、波面の所与の曲率について、ベストフォーカス面のｚ方向のずれは、
【数１０】
0006917477.tif 000011
に比例する（とともに曲率に比例する）。
【０２０５】
[00189]  上記で説明したように、縦ラインを備えるパターンのコントラストを最大化する平面の位置は、ｙ方向の波面の曲率とは無関係である。したがって、ｙ方向の波面の形状には何ら制約はない。以下では、波面はｙ方向で平坦である（すなわちこの方向に曲率はない）ものと仮定する。波面感度マップは、以下の関数に近似された。
【０２０６】
【数１１】
0006917477.tif 000012
【０２０７】
ただし、ｃ０（ｙ）は行依存オフセットパラメータ（row dependent offset parameter）であり、ｄｆは巨視的曲率（global curvature）である。方程式（９）で求められる感度マップと目標感度マップとの間の差は、二次関数的に合計され最小化される。
【０２０８】
[00190]  最適化された照明モード７８が図２０Ａに示されており、このアルゴリズムによって決定される、半径座標σの関数としての放射の相対強度の分布８０が図２０Ｂに示されている。図２０Ａ及び図２０Ｂに示される照明モード７８による、この処理に関しての、ベストフォーカス面のｚ方向のずれについての瞳面ＰＰＰＬの感度マップ８２が図２１に示されている。図１９Ｂは、図２１に示される感度マップ８２に関して計算された、最初の１００個の等価ゼルニケ感度Ｓｎを示す。図１９Ａと図１９Ｂとの比較からわかるように、この修正された回転対称照明モードによれば、高次のゼルニケ寄与から感度マップへの寄与が有意に低減される。そして、これは、低次収差Ｚ４が決定され得る精度を高める。
【０２０９】
[00191]  上述したように、本発明の実施形態による感度マップＳ（ｘ，ｙ）は、収差の影響を測定及び制御するための有用なツールを提供する。感度マップＳ（ｘ，ｙ）は、照明モードを含むリソグラフィ処理のパラメータのすべてに依存する。上記で図９から２１を参照して説明したように、感度マップに応じてリソグラフィ処理の照明モードを選択することによって、リソグラフィ処理が１つ以上のタイプの収差にはより敏感になり１つ以上の他のタイプの収差にはより鈍感になるように、照明モードを調整又は最適化することが可能である。感度マップＳ（ｘ，ｙ）はリソグラフィ処理のパラメータのすべてに依存すること、及び、本発明の代替的な実施形態においては、感度マップＳ（ｘ，ｙ）はリソグラフィ処理の他のパラメータを決定するために用いられ得ることが理解されるであろう。例えば、マスクパターンは、上述の方法を用いて決定された感度マップＳ（ｘ，ｙ）に応じて選択され得る。
【０２１０】
[00192]  次に、本発明の実施形態による感度マップＳ（ｘ，ｙ）のいくつかの態様について、図２２Ａから２７を参照して述べる。具体的には、例示的なパターンについて用いられる照明モードの瞳フィルファクタ又は瞳フィルレシオに対する感度マップＳ（ｘ，ｙ）の依存性について次に述べる。
【０２１１】
[00193]  マスクＭ上の例示的なパターン９０が図２２Ａに示されており、ｙ方向に延びる複数のライン（縦ラインと称してもよい）を備えている。パターン９０がマスクＭに重ねられた状態で、ウェーハＷが受ける放射ドーズ量９２（収差がないとき）が、ｘ方向の位置の関数として図２２Ｂに示されている。
【０２１２】
[00194]  図２２Ａは、マスクＭ上の繰り返しパターンの単位セルを示す。パターンは１本おきのライン９４（すなわち、マスクＭの光透過部であり、交差した斜線で図示されている）と、その間のスペース９６（すなわち、マスクＭの遮光部）とを備えている。スペース９６は、少なくとも部分的に光を吸収する材料から形成され得る。例えば、スペース９６は、スペース９６によって透過される放射の強度がライン９４によって透過される放射の強度のおよそ６％を有するような材料から形成されてもよい。各ライン９４及び各スペース９６は４０ｎｍの厚さを有し、したがって図２２Ａに示される単位セルは８０ｎｍのピッチを有する。
【０２１３】
[00195]  図２２Ａに示されるパターン９０は、リソグラフィ装置の対物面ＯＰに配設されたマスクＭ上に提供され、放射感応性材料（レジスト）層を有しリソグラフィ装置の像面ＩＰにある基板（例えばシリコンウェーハ）上に結像されることが理解されるであろう。レジストのうち、閾値を超える放射ドーズ量を受ける領域は変形する（これらの領域は放射によって硬化されている）。ウェーハの後続の処理の際に、放射によって硬化された領域又は硬化されていない領域のいずれかが（例えばエッチングによって）選択的に除去されてもよい。したがって、（この、基板Ｗの後続の処理の後に）基板Ｗ上に形成されるライン及びスペースの厚さは、ウェーハＷが受けるエネルギドーズ量９２及び（レジストの特性になるであろう）閾値に応じて決まることが理解されるであろう。
【０２１４】
[00196]  上記で説明したように、投影システムＰＬによって引き起こされる収差は、像面ＩＰに接近するにつれ、理想的な球状波面からの波面の歪みを生じる。また、波面収差マップへの最も低次のゼルニケ寄与（ゼルニケ係数Ｚ２，Ｚ３及びＺ４）は、像面ＩＰの位置に関係する。例えば、ゼルニケ係数Ｚ２及びＺ３は、瞳面ＰＰＰＬの波面のｘ方向及びｙ方向の傾きをそれぞれ記述し、これらは画像のｘ方向及びｙ方向の位置に関係する。ゼルニケ係数Ｚ４は、瞳面ＰＰＰＬの波面の曲率を記述するとともに、像面ＩＰのｚ位置に関係する。
【０２１５】
[00197]  本例については、２つの観察メトリクス、又はリソグラフィ効果を検討する。第１のリソグラフィ効果は、画像のｘ位置（例えば、公称位置に対する画像のｘ方向のずれ）であり、これは、上記で説明したように、ゼルニケ係数Ｚ２によって記述される収差に依存する。第２のリソグラフィ効果は、像面のｚ位置（例えば、公称像面に対するベストフォーカス面のｚ方向のずれ）であり、これは、上記で説明したように、ゼルニケ係数Ｚ４によって引き起こされる収差に依存する。
【０２１６】
[00198]  主に一方向のラインから構成されている、図２２Ａに示されるパターン９０の場合、二重極照明の使用によって、良好な結像及び大きなプロセスウィンドウを得ることができる。
【０２１７】
[00199]  具体的には、極は、投影システム瞳面ＰＰＰＬにおいて、照明システムの２つの極の各々に由来する１次回折ビームのうち一方が、（８０ｎｍのピッチを有する）パターンによって生じた他方の極からのゼロ次ビームと概ね一致するように配置され得る。つまり、照明モードのパラメータは、２つの極の角度分離２σ（σは各極の半径方向位置である）がλ／（ｐ・ＮＡ）に略等しくなるように選択される。ただし、λは波長、ｐはパターン９０のピッチ、ＮＡは開口数である。この例においては、イルミネータ瞳面ＰＰＩＬの各極の正規化された半径方向位置がおよそ０．９となるように、λ＝１９３ｎｍ、ｐ＝８０ｎｍ及びＮＡ＝１．３５である。
【０２１８】
[00200]  次に、これらのリソグラフィ効果（像面のｘ位置及びｚ位置）の感度マップＳ（ｘ，ｙ）について、このパターン９０を想定し、図２３Ａから図２３Ｅに示される５つの異なる照明モードに関して説明する。５つの照明モードの各々は、図３Ａに示される上述した二重極分布２と形が類似した二重極分布１００，１０２，１０４，１０６，１０８を備えている。図２３Ａから図２３Ｅには円１１も示されており、この円は、投影システムＰＬによって物理的にキャプチャされ像面ＩＰ上に結像されることが可能な限界を表している（これは開口数ＮＡ、又は投影システムＰＬによってキャプチャ可能な最大角度の正弦を表す）。投影システムＰＬの開口数ＮＡによって正規化された座標では、円１１は半径σ＝１を有する。
【０２１９】
[00201]  二重極分布１００，１０２，１０４，１０６，１０８は、各々、強度が非ゼロである、径方向で対向する２つの極領域８を備えている。各極領域８は、概して環のセクタの形をしており、これは環と円の径方向で対向する２つのセクタとの交線によって定義される。環は、半径がσｉｎ及びσｏｕｔ（それぞれσ-inner及びσ-outerと通称される）の２つの同心円によって定義される。各二重極分布１００，１０２，１０４，１０６，１０８が異なる瞳フィルファクタ又は瞳フィルレシオを有するように、二重極分布１００，１０２，１０４，１０６，１０８の極領域８は異なっている。ここで、瞳フィルファクタ又は瞳フィルレシオとは、イルミネータ瞳面ＰＰＩＬの放射を受ける面積とイルミネータ瞳面ＰＰＩＬの総面積との比（すなわち、極領域８の総面積と円１１のうち投影システムＰＬの開口数ＮＡを表す面積との比）である。これは、半径σｉｎ及びσｏｕｔの２つの同心円によって定義される環のサイズと極領域８の角度範囲との両方を変化させることによって達成された。
【０２２０】
[00202]  図２３Ａに示される二重極分布１００においては、各極領域８はイルミネータ瞳面ＰＰＩＬの中心１０に対しておよそ５０°の角度にわたっており、各極の平均半径方向位置がおよそ０．９になるように、各極領域８は０．７９のσ-inner及び１．０のσ-outerを有する。
【０２２１】
[00203]  図２３Ｂに示される二重極分布１０２においては、各極領域８はイルミネータ瞳面ＰＰＩＬの中心１０に対しておよそ４０°の角度にわたっており、各極の平均半径方向位置がおよそ０．９になるように、各極領域８は０．８１のσ-inner及び０．９９のσ-outerを有する。
【０２２２】
[00204]  図２３Ｃに示される二重極分布１０４においては、各極領域８はイルミネータ瞳面ＰＰＩＬの中心１０に対しておよそ３０°の角度にわたっており、各極の平均半径方向位置がおよそ０．９になるように、各極領域８は０．８３のσ-inner及び０．９７のσ-outerを有する。
【０２２３】
[00205]  図２３Ｄに示される二重極分布１０６においては、各極の平均半径方向位置がおよそ０．９になるように、各極領域８はイルミネータ瞳面ＰＰＩＬの中心１０に対しておよそ２０°の角度にわたっており、各極領域８は０．８５のσ-inner及び０．９５のσ-outerを有する。
【０２２４】
[00206]  図２３Ａに示される二重極分布１００においては、各極領域８はイルミネータ瞳面ＰＰＩＬの中心１０に対しておよそ１０°の角度にわたっており、各極の平均半径方向位置がおよそ０．９になるように、各極領域８は０．８７のσ-inner及び０．９３のσ-outerを有する。
【０２２５】
[00207]  二重極分布１００，１０２，１０４，１０６，１０８の各々に関して、２つの対向する極領域８を二等分する線は、概ねｘ方向である。これらの照明モードによれば、放射はｙ方向に直線偏光され得る。
【０２２６】
[00208]  （１９３ｎｍの波長及び１．３５の開口数で）８０ｎｍのピッチの周期構造から成る図２２Ａに示されるパターン９０を結像することを考える。マスク上のパターン９０は、次に図２４Ａから図２４Ｅを参照して説明される通り、イルミネータ瞳面ＰＰＩＬの各極８からの放射が投影システム瞳面ＰＰＰＬの複数の領域にマッピングされるように、放射の回折を引き起こすであろう。具体的には、２つの極８の各々は、その極８のゼロ次回折ビームに対応する投影システム瞳面ＰＰＰＬの共役領域を照明する（図２４Ａから図２４Ｅに実線で示す）。また、各極領域８からの±１次回折ビームのうち一方の少なくとも一部は、投影システム瞳面ＰＰＰＬの、他方の極８のゼロ次回折ビームと重なる領域（図２４Ａから図２４Ｅに点線で示す）を照明するであろう。
【０２２７】
[00209]  図２５Ａから図２５Ｅは、図２３Ａから図２３Ｅにそれぞれ示される二重極分布１００，１０２，１０４，１０６，１０８を有する照明モードを用いたパターン９０の公称位置に対するｘ方向の画像のずれの感度マップ１１０，１１２，１１４，１１６，１１８を示す。
【０２２８】
[00210]  図２５Ａ−図２５Ｅからは、図５Ａから図５Ｃを参照して上記で述べたように、投影システム瞳面ＰＰＰＬの局所的な部分のみが放射を受けることがわかる。図２５Ａ−図２５Ｅからわかるように、１９３ｎｍの波長及び１．３５の開口数で（８０ｎｍのピッチを有する）図２２Ａに示されるパターン９０を結像するときには、投影システム瞳面ＰＰＰＬのうち２つの局所的な部分のみが放射を受ける。図２４Ａから図２４Ｅを参照して上記で説明したように、投影システム瞳面ＰＰＰＬのこれらの局所的な部分の各々は、一方の極領域８のゼロ次回折ビームと、他方の極領域８からの±１次回折ビームの一方とによって定義される。したがって、この処理（図２２Ａに示されるパターン９０を図２３Ａから図２３Ｅに示される二重極照明モード１００，１０２，１０４，１０６，１０８によって結像する）の場合、感度マップＳ（ｘ，ｙ）はこれらの局所的な部分についてのみ計算されればよい。これらの２つの局所的な部分は、感度マップＳ（ｘ，ｙ）の非ゼロ値の画素を含むものと考えられてもよく、その一方で感度マップＳ（ｘ，ｙ）の他のすべての画素はゼロである。
【０２２９】
[00211]  発明者は、概して、投影システム瞳面ＰＰＰＬのうち（例えばパターン９０の）画像形成に寄与する部分のみが波面感度マップにおいて非ゼロ値を有するであろうことに気が付いた。当業者には理解されるように、画像が形成されるためには、パターン（例えばパターン９０）によって形成される少なくとも２つの回折次数が（少なくとも部分的に）投影システムＰＬの開口数内になければならない。具体的には、画像形成に寄与する投影システム瞳面ＰＰＰＬの複数の（すなわち少なくとも２つの）領域にマッピングされるのは、イルミネータ瞳面ＰＰＩＬのそれらの部分からの放射である。これは、次に述べるように、図２５Ａ−図２５Ｅからわかる。
【０２３０】
[00212]  図２５Ａ−図２５Ｅからは、非ゼロ値を有する感度マップＳ（ｘ，ｙ）の画素を含む投影システム瞳面ＰＰＰＬの局所的な部分が、それぞれ概して、投影システム瞳面ＰＰＰＬの、一方の極領域８のゼロ次回折ビームを受ける部分と、他方の極領域８からの±１次回折ビームのうち一方を受ける部分とによって定義されることがわかる。
【０２３１】
[00213]  具体的には、図２５Ａ及び図２５Ｂからは、極領域８の各々からの１次回折ビームのうち一方の一部のみが投影システムＰＰの開口数の範囲内に該当する照明モードの場合、非ゼロ値を有する感度マップＳ（ｘ，ｙ）の画素を含む投影システム瞳面ＰＰＰＬの局所的な部分は、概して、（ａ）投影システムＰＬの開口数の範囲内に該当する１次回折ビームの部分と、（ｂ）それらの極領域８の０次回折ビームの対応する部分とによって求められることがわかる。図２５Ａの極端な場合では、非ゼロ値を有する感度マップＳ（ｘ，ｙ）の画素を含む投影システム瞳面ＰＰＰＬの局所的な部分は、投影システム瞳面ＰＰＰＬの、一方の極領域８のゼロ次回折ビームと、他方の極領域８からの±１次回折ビームのうち一方との両方を受ける部分（すなわち、一方の極領域８のゼロ次回折ビームと、他方の極領域８からの±１次回折ビームのうち一方との重なり）である。
【０２３２】
[00214]  図２５Ｃ−図２５Ｅからは、極領域８の各々からの１次回折ビームのうち一方の実質的にすべてが投影システムＰＰの開口数の範囲内に該当する照明モードの場合、非ゼロ値を有する感度マップＳ（ｘ，ｙ）の画素を含む投影システム瞳面ＰＰＰＬの局所的な部分は、概して、前記した１次回折ビームと対応する０次回折ビームとの全体によって求められることがわかる。
【０２３３】
[00215]  また、図２５Ａ−図２５Ｅからは、非ゼロ画素の全体のスケールが照明モードの瞳フィルレシオに反比例することがわかる。例えば、図２３Ａに示される二重極分布１００は最大の瞳フィルレシオを有しており、図２３Ａから図２３Ｅに示される二重極分布１００，１０２，１０４，１０６，１０８が有する瞳フィルレシオは次第に小さくなっている。図２６は、感度マップ１１０，１１２，１１４，１１６，１１８の非ゼロ画素の平均値の、（図２３Ａから図２３Ｅに示される）対応する照明モード１００，１０２，１０４，１０６，１０８の瞳フィルレシオの逆数に対するプロット１２０を示す。図２６からは、感度マップ１１０，１１２，１１４，１１６，１１８の非ゼロ画素の平均値は、（図２３Ａから図２３Ｅに示される）対応する照明モード１００，１０２，１０４，１０６，１０８の瞳フィルレシオの逆数に線形的に比例することがわかる。更に、図２６からは、比例定数（すなわちプロット１２０の傾斜）は、投影システムＰＬの開口数（すなわち１．３５）によって求められることがわかる。これは、以下のように理解されてもよい。
【０２３４】
[00216]  リソグラフィ効果Ｌ（例えば公称位置に対するｘ方向の画像のずれ）は感度マップＳ（ｘ，ｙ）と波面収差マップＷ（ｘ，ｙ）との内積によって求められることを思い出されたい（方程式（３）を参照）。画像がｘ方向にオフセットｄｘ＝１ｎｍ変位すると仮定する。ＮＡは投影システムＰＬの開口数であるところ、これは、−１／ＮＡの波面のｘ方向の傾きと等価である。放射が投影システムの光軸に対して角度αであるところ、波面の一部の相対位相誤差（例えば公称位相に対して相対的）を考えることによって、相対位相誤差は、オフセットｄｘと−ｓｉｎ（α）との積によって求められることが示され得る。また、ｓｉｎ（α）＝（ＮＡ／ｘ）／ｎである。ただし、ｘは投影システム瞳面ＰＰＰＬの対応する部分のｘ位置であり、ｎはイメージング媒体の屈折率である。したがって、波面マップは以下によって求められる。
【０２３５】
【数１２】
0006917477.tif 000013
【０２３６】
[00217]  この波面マップと波面感度マップＳ（ｘ，ｙ）との内積は、ｄｘすなわち１ｎｍの変位と等しくなる（方程式（３）を参照）。波面感度マップＳ（ｘ，ｙ）の非ゼロ画素のみがこの内積に寄与するので、波面感度マップＳ（ｘ，ｙ）の非ゼロ画素の平均値は、対応する照明モードの瞳フィルレシオの逆数に対応する。照明モードの瞳フィルレシオが１に等しい場合を考えると、比例定数は投影システムＰＬの開口数ＮＡによって求められることがわかる。
【０２３７】
[00218]  なお、この例示的な処理（二重極モード１００〜１０８のうち１つによってパターン９０を結像する）は、投影システムＰＬの解像度限界に近いので、関連する処理である。パターン９０のピッチが（放射の波面に対して）縮小されると、やがては１つの回折次数（２つの極８からの０次ビーム）のみが投影システムＰＬによってキャプチャされるようになるであろう。その場合、画像は形成されない（０次ビームは一定のオフセット値のみを含み、パターン９０のライン９４，９６についての情報は何ら含まない）。対照的に、パターン９０のピッチ９０が（放射の波面に対して）増大されると、他のより高次の回折次数が投影システムＰＬによってキャプチャされ得る。そのようなより大きいピッチのパターンの場合、波面感度マップＳ（ｘ，ｙ）の非ゼロ画素の平均値と瞳フィルレシオの逆数との対応は、もはや線形的ではなくなるであろう。しかしながら、そのようなより大きいピッチのパターンの場合でさえ、現象は依然として観察される。すなわち、瞳フィルレシオがより低い照明モードを用いることによってより高い感度が提供される。
【０２３８】
[00219]  本明細書において用いられているリソグラフィ効果という用語とリソグラフィ量という用語とは同義であることが理解されるであろう。また、リソグラフィ効果という用語とリソグラフィ量という用語とは、概して、リソグラフィ装置によって形成される画像内の効果又は量を指すことが理解されるであろう。
【０２３９】
[00220]  図２７Ａから図２７Ｅは、図２３Ａから図２３Ｅにそれぞれ示される二重極分布１００，１０２，１０４，１０６，１０８を有する照明モードを用いたパターン９０の公称像面に対するベストフォーカス面のｚ方向のずれの感度マップ１２２，１２４，１２６，１２８，１３０を示す。
【０２４０】
[00221]  図２７Ａ−図２７Ｅからは、やはり投影システム瞳面ＰＰＰＬの２つの局所的な部分のみが放射を受けることがわかる。非ゼロ値を有する感度マップＳ（ｘ，ｙ）の画素を含むこれらの２つの局所的な部分は、図２５Ａから図２５Ｅに示されるものと同一である。また、図２７Ａ−図２７Ｅからは、非ゼロ画素の全体のスケールは、やはり照明モードの瞳フィルレシオに反比例することがわかる。図２８は、感度マップ１２２，１２４，１２６，１２８，１３０の非ゼロ画素の最大値の、（図２３Ａから図２３Ｅに示される）対応する照明モード１００，１０２，１０４，１０６，１０８の瞳フィルレシオの逆数に対するプロット１３２を示す。放射が投影システムの光軸に対して角度αであるところ、波面の一部の相対位相誤差（例えば公称位相に対して相対的）を考えることによって、相対位相誤差は、デフォーカスｄｚ（公称像面に対するベストフォーカス面のｚ方向のずれ）とｃｏｓ（α）との積に比例することが示され得る。また、ｓｉｎ（α）＝（ＮＡ・ｒ）／ｎである。ただし、ｒは投影システム瞳面ＰＰＰＬの対応する部分の半径方向位置であり（ｒ２＝ｘ２＋ｙ２）、ｎはイメージング媒体の屈折率である。したがって、デフォーカスに関しては、波面マップは、以下によって求められる。
【０２４１】
【数１３】
0006917477.tif 000014
【０２４２】
図２８からは、このリソグラフィ効果（焦点）に関しては、感度マップＳ（ｘ，ｙ）の非ゼロ画素の平均値と（図２３Ａから図２３Ｅに示される）対応する照明モード１００，１０２，１０４，１０６，１０８の瞳フィルレシオの逆数との対応は、より複雑である（すなわち、もはや線形的ではない）ことがわかる。
【０２４３】
[00222]  上述した実施形態において、感度マップＳ（ｘ，ｙ）は、リソグラフィ効果Ｌが感度マップＳ（ｘ，ｙ）と波面収差マップＷ（ｘ，ｙ）との内積によって求められるように定義される（方程式（３）を参照）。上述した方法のすべては、リソグラフィ効果Ｌが感度マップＳ（ｘ，ｙ）と相対強度マップＡ（ｘ，ｙ）との内積によって求められるように定義された感度マップＳ（ｘ，ｙ）にも適用され得ることが理解されるであろう。相対強度マップＡ（ｘ，ｙ）は、アポダイゼーションマップＡ（ｘ，ｙ）とも称され得る。原則的に、当業者には理解されるように、上述の方法及び技術は、任意の瞳関数ばらつき（強度又は位相のいずれか）に適用され得る。
【０２４４】
[00223]  図２９は、図２３Ｃに示される二重極照明モードを用いて結像された図２２Ａに示されるパターン９０の、印刷されたクリティカルディメンジョンのアポダイゼーション感度マップ１３４を示す。つまり、印刷されたクリティカルディメンジョンは、感度マップ１３４と相対強度マップＡ（ｘ，ｙ）との内積によって求められる。
【０２４５】
[00224]  以上、本発明の特定の実施形態を説明したが、説明とは異なる方法でも本発明を実践できることは理解されよう。説明は、本発明を限定することを意図していない。
【図１】
0006917477.tif 000015
【図２】
0006917477.tif 000016
【図３Ａ】
0006917477.tif 000017
【図３Ｂ】
0006917477.tif 000018
【図３Ｃ】
0006917477.tif 000019
【図４Ａ】
0006917477.tif 000020
【図４Ｂ】
0006917477.tif 000021
【図５Ａ】
0006917477.tif 000022
【図５Ｂ】
0006917477.tif 000023
【図５Ｃ】
0006917477.tif 000024
【図６】
0006917477.tif 000025
【図７】
0006917477.tif 000026
【図８】
0006917477.tif 000027
【図９Ａ】
0006917477.tif 000028
【図９Ｂ】
0006917477.tif 000029
【図１０】
0006917477.tif 000030
【図１１】
0006917477.tif 000031
【図１２】
0006917477.tif 000032
【図１３】
0006917477.tif 000033
【図１４Ａ】
0006917477.tif 000034
【図１４Ｂ】
0006917477.tif 000035
【図１４Ｃ】
0006917477.tif 000036
【図１５Ａ】
0006917477.tif 000037
【図１５Ｂ】
0006917477.tif 000038
【図１６】
0006917477.tif 000039
【図１７】
0006917477.tif 000040
【図１８】
0006917477.tif 000041
【図１９Ａ】
0006917477.tif 000042
【図１９Ｂ】
0006917477.tif 000043
【図２０Ａ】
0006917477.tif 000044
【図２０Ｂ】
0006917477.tif 000045
【図２１】
0006917477.tif 000046
【図２２Ａ】
0006917477.tif 000047
【図２２Ｂ】
0006917477.tif 000048
【図２３Ａ】
0006917477.tif 000049
【図２３Ｂ】
0006917477.tif 000050
【図２３Ｃ】
0006917477.tif 000051
【図２３Ｄ】
0006917477.tif 000052
【図２３Ｅ】
0006917477.tif 000053
【図２４Ａ】
0006917477.tif 000054
【図２４Ｂ】
0006917477.tif 000055
【図２４Ｃ】
0006917477.tif 000056
【図２４Ｄ】
0006917477.tif 000057
【図２４Ｅ】
0006917477.tif 000058
【図２５Ａ】
0006917477.tif 000059
【図２５Ｂ】
0006917477.tif 000060
【図２５Ｃ】
0006917477.tif 000061
【図２５Ｄ】
0006917477.tif 000062
【図２５Ｅ】
0006917477.tif 000063
【図２６】
0006917477.tif 000064
【図２７Ａ】
0006917477.tif 000065
【図２７Ｂ】
0006917477.tif 000066
【図２７Ｃ】
0006917477.tif 000067
【図２７Ｄ】
0006917477.tif 000068
【図２７Ｅ】
0006917477.tif 000069
【図２８】
0006917477.tif 000070
【図２９】
0006917477.tif 000071